(57)【要約】  開示されるのは、電力制御方法および装置、ならびに目標受信電力を求めるための方法および装置である。電力制御方法は、送信の空間領域リソース情報を受信することと、送信の電力制御パラメータを、送信の空間領域リソース情報と、空間領域リソース情報と電力制御パラメータとの関連付けとに従って求めることとを備え、送信の電力制御パラメータの少なくとも１つのパラメータの数は１より大きく、さらに、送信の電力制御パラメータに従って送信の送信電力を求めることを備える。本開示の実施形態によると、電力制御パラメータは１つの送信用に構成され、構成された電力制御パラメータの少なくとも１つのパラメータの数は１より大きく、ビームシナリオまたはパネルシナリオまたはマルチＴＲＰシナリオがサポートされる。
2021534630.tif 000002
【特許請求の範囲】
【請求項１】
送信の空間領域リソース情報を受信することと、
前記送信の前記空間領域リソース情報と、空間領域リソース情報と電力制御パラメータとの関連付けとに従って、前記送信の電力制御パラメータを求めることとを備え、前記送信の前記電力制御パラメータの少なくとも１つのパラメータの数は１より大きく、さらに、
前記送信の前記電力制御パラメータに従って、前記送信の送信電力を求めることを備える、電力制御方法。
【請求項２】
前記電力制御パラメータは、開ループ電力制御パラメータ、閉ループ電力制御パラメータ、またはパスロス測定パラメータのうちの少なくとも１つを含む、請求項１に記載の電力制御方法。
【請求項３】
前記開ループ電力制御パラメータは、目標受信電力またはパスロス係数のうちの少なくとも１つを含み、
前記パスロス測定パラメータは、パスロス測定用の参照信号リソースタイプインジケータ、または前記パスロス測定用の参照信号リソースインジケータのうちの少なくとも１つを含み、
前記閉ループ電力制御パラメータは、閉ループ電力制御プロセス識別子、または閉ループ電力制御プロセスの数のうちの少なくとも１つを含む、請求項２に記載の電力制御方法。
【請求項４】
前記送信の前記送信電力は、少なくとも１つのサブ送信の送信電力を含む、請求項１に記載の電力制御方法。
【請求項５】
前記送信の前記空間領域リソース情報と、前記空間領域リソース情報と電力制御パラメータとの前記関連付けとに従って、前記送信の前記電力制御パラメータを求めることは、
前記関連付けにおける前記送信の前記空間領域リソース情報と関連付けられた電力制御パラメータを、前記送信の前記電力制御パラメータと見なすこと、
前記関連付けにおけるすべての第１の特定の空間領域リソース情報と関連付けられた電力制御パラメータを、前記送信の前記電力制御パラメータと見なすことであって、前記すべての第１の特定の空間領域リソース情報の各々は、前記送信の前記空間領域リソース情報によって示される参照信号リソースのうちの１つを示すこと、または
前記関連付けに従って、前記送信の前記空間領域リソース情報によって示される各参照信号リソースグループの電力制御パラメータを求め、前記送信の前記空間領域リソース情報によって示されるすべての参照信号リソースグループの電力制御パラメータを、前記送信の前記電力制御パラメータと見なすことのうちのいずれか１つを含む、請求項１〜４のいずれか１項に記載の電力制御方法。
【請求項６】
前記関連付けに従って、前記送信の前記空間領域リソース情報によって示される前記各参照信号リソースグループの前記電力制御パラメータを求めることは、
前記関連付けにおけるすべての第２の特定の空間領域リソース情報と関連付けられた電力制御パラメータに従って、前記送信の前記参照信号リソースグループの前記電力制御パラメータを求めることであって、前記すべての第２の特定の空間領域リソース情報の各々は、前記参照信号リソースグループ内の１つの参照信号リソースを示すこと、または、
前記関連付けにおける第３の特定の空間領域リソース情報と関連付けられた電力制御パラメータを、前記参照信号リソースグループの前記電力制御パラメータと見なすことであって、前記第３の特定の空間領域リソース情報は、前記参照信号リソースグループ内のすべての参照信号リソースを示すことのうちのいずれか１つを含む、請求項５に記載の電力制御方法。
【請求項７】
前記空間領域リソース情報によって示される前記参照信号リソースは、
事前に定義されたグループ分けのメンバーに従ってグループ分けする方法、
事前に定義されたもしくは構成されたグループ分けの数に基づいて所定のルールに従って求められたグループ分けのメンバーに従ってグループ分けする方法、または、
構成されたグループ分けのメンバーに従ってグループ分けする方法のうちのいずれか１つに従ってグループ分けされる、請求項６に記載の電力制御方法。
【請求項８】
前記参照信号リソースグループと前記サブ送信の前記送信電力との関連付けがある、請求項５に記載の電力制御方法。
【請求項９】
前記関連付けと前記送信の前記空間領域リソース情報とに従って前記送信の前記電力制御パラメータを求めることは、
前記送信の特定のタイプ、前記関連付け、および前記送信の前記空間領域リソース情報に従って前記送信の前記電力制御パラメータを求めることを含み、前記特定のタイプは、サービスタイプまたはスケジューリングタイプを含む、請求項１に記載の電力制御方法。
【請求項１０】
前記送信の前記電力制御パラメータに従って、前記送信の前記送信電力を求めることは、
前記送信の前記電力制御パラメータに従って、前記送信の初期送信電力を求めることと、前記送信の前記初期送信電力と、前記送信の基本的な特定のタイプに対する前記送信の特定のタイプの事前に定義された送信電力オフセットとに従って、前記送信の最終的な送信電力を求めることとを含み、前記特定のタイプは、サービスタイプまたはスケジューリングタイプを含む、請求項１に記載の電力制御方法。
【請求項１１】
前記空間領域リソース情報は、参照信号リソース情報または空間関係情報のうちの少なくとも１つを含む、請求項１に記載の電力制御方法。
【請求項１２】
空間領域リソース情報と電力制御パラメータとの関連付けを構成することと、
送信の空間領域リソース情報を構成するまたは示すこととを備える、電力制御方法。
【請求項１３】
前記送信の前記空間領域リソース情報を構成するまたは示すことは、
上位層シグナリング、ダウンリンク制御情報、メディアアクセス制御シグナリングまたは物理層制御シグナリングのうちの少なくとも１つを介して、前記送信の前記空間領域リソース情報を構成するまたは示すことを含む、請求項１２に記載の電力制御方法。
【請求項１４】
前記空間領域リソース情報によって示されるすべての参照信号リソースは、前記電力制御パラメータを共有し、または、
前記空間領域リソース情報によって示される各参照信号リソースは、前記電力制御パラメータのうちの１つのパラメータに対応し、または、
Ｎが１より大きくＭより小さい整数であり、Ｍが前記空間領域リソース情報によって示される参照信号リソースの数である場合、前記空間領域リソース情報によって示される前記参照信号リソースは、Ｎ個のグループに分類され、各グループは、前記電力制御パラメータのうちの１つのパラメータに対応する、請求項１２に記載の電力制御方法。
【請求項１５】
前記空間領域リソース情報と関連付けられた前記電力制御パラメータのパラメータの数が１の場合、前記空間領域リソース情報によって示されるすべての参照信号リソースは前記電力制御パラメータを共有し、
前記空間領域リソース情報と関連付けられた前記電力制御パラメータのパラメータの数がＭの場合、前記空間領域リソース情報によって示される各参照信号リソースは、前記Ｍ個のパラメータのうちの１つに対応し、または、
前記空間領域リソース情報と関連付けられた前記電力制御パラメータのパラメータの数がＮの場合、前記空間領域リソース情報によって示される参照信号リソースは、Ｎ個のグループに分類され、各グループは前記Ｎ個のパラメータのうちの１つに対応し、
Ｎは１より大きくＭより小さい整数であり、Ｍは前記空間領域リソース情報によって示される前記参照信号リソースの数である、請求項１２に記載の電力制御方法。
【請求項１６】
前記送信によってサポートされるすべての特定のタイプは、前記電力制御パラメータを共有し、
前記送信によってサポートされる各特定のタイプは、前記電力制御パラメータのうちの１つに対応し、または、
前記送信によってサポートされるすべての特定のタイプは、Ｙ個のグループに分類され、各グループは、前記電力制御パラメータのうちの１つのパラメータに対応し、
Ｘは前記送信によってサポートされる前記特定のタイプの数であり、Ｙは１より大きくＸより小さい整数である、請求項１２に記載の電力制御方法。
【請求項１７】
前記空間領域リソース情報と関連付けられた前記電力制御パラメータのパラメータの数が１の場合、前記送信によってサポートされるすべての特定のタイプは前記電力制御パラメータを共有し、
前記空間領域リソース情報と関連付けられた前記電力制御パラメータのパラメータの数がＸの場合、前記送信によってサポートされる各特定のタイプは前記Ｘ個のパラメータのうちの１つに対応し、または、
前記空間領域リソース情報と関連付けられた前記電力制御パラメータのパラメータの数が、１より大きくＸより小さい整数であるＹの場合、前記送信によってサポートされるすべての特定のタイプはＹ個のグループに分類され、各グループは前記Ｙ個のパラメータのうちの１つに対応し、
Ｘは前記送信によってサポートされる前記特定のタイプの数であり、Ｙは１より大きくＸより小さい整数である、請求項１２に記載の電力制御方法。
【請求項１８】
送信の空間領域リソース情報を受信することと、
空間領域リソース情報と電力制御パラメータとの関連付けにおいて前記送信の前記空間領域リソース情報と関連付けられた電力制御パラメータを求めることとを備え、求められた前記電力制御パラメータの少なくとも１つのパラメータの数は１より大きく、さらに、
求められた前記電力制御パラメータに従って、前記送信の特定のタイプに対応する電力制御パラメータを求めることを備え、前記特定のタイプは、サービスタイプまたはスケジューリングタイプを含む、電力制御方法。
【請求項１９】
求められた前記電力制御パラメータに従って前記送信の前記特定のタイプに対応する前記電力制御パラメータを求めることは、
求められた前記電力制御パラメータから前記送信の前記特定のタイプに対応する前記電力制御パラメータを選択すること、または、
求められた前記電力制御パラメータと、前記送信の基本的な特定のタイプに対する前記送信の前記特定のタイプの事前に定義された電力制御パラメータオフセットとに従って、前記送信の前記特定のタイプに対応する前記電力制御パラメータを求めることのうちのいずれか１つを含む、請求項１８に記載の電力制御方法。
【請求項２０】
前記送信によってサポートされるすべての特定のタイプは、前記電力制御パラメータを共有し、
前記送信によってサポートされる各特定のタイプは、前記電力制御パラメータのうちの１つのパラメータに対応し、
前記送信によってサポートされるすべての特定のタイプは、Ｙ個のグループに分類され、各グループは、前記電力制御パラメータのうちの１つのパラメータに対応し、
Ｘは前記送信によってサポートされる前記特定のタイプの数であり、Ｙは１より大きくＸより小さい整数である、請求項１８に記載の電力制御方法。
【請求項２１】
前記空間領域リソース情報と関連付けられた前記電力制御パラメータのパラメータの数が１の場合、前記送信によってサポートされるすべての特定のタイプは前記電力制御パラメータを共有し、
前記空間領域リソース情報と関連付けられた前記電力制御パラメータのパラメータの数がＸの場合、前記送信によってサポートされる各特定のタイプは、前記Ｘ個のパラメータのうちの１つに対応し、
前記空間領域リソース情報と関連付けられた前記電力制御パラメータのパラメータの数が、１より大きくＸより小さい整数であるＹの場合、前記送信によってサポートされるすべての特定のタイプはＹ個のグループに分類され、各グループは前記Ｙ個のパラメータのうちの１つに対応し、
Ｘは前記送信によってサポートされる前記特定のタイプの数であり、Ｙは１より大きくＸより小さい整数である、請求項１８に記載の電力制御方法。
【請求項２２】
送信の空間領域リソース情報を受信することと、
前記送信の前記空間領域リソース情報と、空間領域リソース情報と電力制御パラメータとの関連付けとに従って、前記送信の電力制御パラメータを求めることと、
前記送信の前記電力制御パラメータに従って、前記送信の初期送信電力を求めることと、
前記初期送信電力と、前記送信の基本的な特定のタイプに対する前記送信の特定のタイプの事前に定義された送信電力オフセットとに従って、前記送信の最終的な送信電力を求めることとを備え、前記特定のタイプは、サービスタイプまたはスケジューリングタイプを含む、電力制御方法。
【請求項２３】
送信の空間領域リソース情報を受信するように構成された第１の受信モジュールと、
前記送信の前記空間領域リソース情報と、空間領域リソース情報と電力制御パラメータとの関連付けとに従って、前記送信の電力制御パラメータを求めるように構成された第１の判定モジュールとを備え、前記送信の前記電力制御パラメータの少なくとも１つのパラメータの数は１より大きく、さらに
前記送信の前記電力制御パラメータに従って前記送信の送信電力を求めるように構成された第２の判定モジュールを備える、電力制御装置。
【請求項２４】
空間領域リソース情報と電力制御パラメータとの関連付けを構成するように構成された第１の構成モジュールと、
送信の空間領域リソース情報を構成するまたは示すように構成された第２の構成モジュールとを備える、電力制御装置。
【請求項２５】
送信の空間領域リソース情報を受信するように構成された第２の受信モジュールと、
空間領域リソース情報と電力制御パラメータとの関連付けにおける前記送信の前記空間領域リソース情報と関連付けられた電力制御パラメータを求めるように構成された第１の探索モジュールとを備え、求められた前記電力制御パラメータの少なくとも１つのパラメータの数は１より大きく、さらに、
求められた前記電力制御パラメータに従って、前記送信の特定のタイプに対応する電力制御パラメータを求めるように構成された第３の判定モジュールを備え、前記特定のタイプは、サービスタイプまたはスケジューリングタイプを含む、電力制御装置。
【請求項２６】
送信の空間領域リソース情報を受信するように構成された第３の受信モジュールと、
前記送信の前記空間領域リソース情報と、空間領域リソース情報と電力制御パラメータとの関連付けとに従って、前記送信の電力制御パラメータを求めるように構成された第４の判定モジュールと、
前記送信の前記電力制御パラメータに従って、前記送信の初期送信電力を求め、前記初期送信電力と、前記送信の基本的な特定のタイプに対する前記送信の特定のタイプの事前に定義された送信電力オフセットとに従って、前記送信の最終的な送信電力を求めるように構成された第５の判定モジュールとを備え、前記特定のタイプは、サービスタイプまたはスケジューリングタイプを含む、電力制御装置。
【請求項２７】
プロセッサとコンピュータ可読記憶媒体とを備え、前記コンピュータ可読記憶媒体は命令を格納し、前記命令は、前記プロセッサによって実行されると、請求項１〜２２のいずれか１項に記載の前記電力制御方法を実現する、電力制御装置。
【請求項２８】
コンピュータプログラムを格納し、前記コンピュータプログラムは、プロセッサによって実行されると、請求項１〜２２のいずれか１項に記載の前記電力制御方法のステップを実現する、コンピュータ可読記憶媒体。
【請求項２９】
目標受信電力を求めるための方法であって、
仮想電力ヘッドルームを計算するためのセル特有目標受信電力である第１の目標受信電力を、
第２の目標受信電力を前記第１の目標受信電力と見なす方式、
第３の目標受信電力を前記第１の目標受信電力と見なす方式、
仮想電力ヘッドルーム報告のＵＥ特有目標受信電力が動的許可ベースサービス用に構成される場合、前記第３の目標受信電力を前記第１の目標受信電力と見なし、そうでない場合、前記第２の目標受信電力を前記第１の目標受信電力と見なす方式、または、
前記仮想電力ヘッドルーム報告の前記ＵＥ特有目標受信電力が非動的許可サービス用に構成される場合、前記第２の目標受信電力を前記第１の目標受信電力と見なし、そうでない場合、前記第３の目標受信電力を前記第１の目標受信電力と見なす方式のうちのいずれか１つを採用することによって求めることを備え、
前記第２の目標受信電力は、非動的許可送信用に構成されたセル特有目標受信電力であり、前記第３の目標受信電力は、動的許可ベース送信用に構成されたセル特有目標受信電力である、方法。
【請求項３０】
目標受信電力を求めるための装置であって、
仮想電力ヘッドルームを計算するためのセル特有目標受信電力である第１の目標受信電力を、
第２の目標受信電力を前記第１の目標受信電力と見なす方式、
第３の目標受信電力を前記第１の目標受信電力と見なす方式、
仮想電力ヘッドルーム報告のＵＥ特有目標受信電力が動的許可ベースサービス用に構成される場合、前記第３の目標受信電力を前記第１の目標受信電力と見なし、そうでない場合、前記第２の目標受信電力を前記第１の目標受信電力と見なす方式、または、
前記仮想電力ヘッドルーム報告の前記ＵＥ特有目標受信電力が非動的許可サービス用に構成される場合、前記第２の目標受信電力を前記第１の目標受信電力と見なし、そうでない場合、前記第３の目標受信電力を前記第１の目標受信電力と見なす方式のうちのいずれか１つを採用することによって求めるように構成された第６の判定モジュールを備え、
前記第２の目標受信電力は、非動的許可送信用に構成されたセル特有目標受信電力であり、前記第３の目標受信電力は、動的許可ベース送信用に構成されたセル特有目標受信電力である、装置。
【請求項３１】
目標受信電力を求めるための装置であって、プロセッサとコンピュータ可読記憶媒体とを備え、前記コンピュータ可読記憶媒体は命令を格納し、前記命令は、前記プロセッサによって実行されると、請求項２９に記載の前記目標受信電力を求めるための方法を実現する、装置。
【請求項３２】
コンピュータプログラムを格納し、前記コンピュータプログラムは、プロセッサによって実行されると、請求項２９に記載の前記目標受信電力を求めるための方法のステップを実現する、コンピュータ可読記憶媒体。
【請求項３３】
目標受信電力を求めるための方法であって、第２の目標受信電力、第３の目標受信電力、または第４の目標受信電力のうちの少なくとも１つに従って第１の目標受信電力を求めることを備え、
前記第１の目標受信電力は、仮想電力ヘッドルームを計算するためのセル特有目標受信電力であり、前記第２の目標受信電力は、非動的許可送信用に構成されたセル特有目標受信電力であり、前記第３の目標受信電力は、動的許可ベース送信用に構成されたセル特有目標受信電力であり、前記第４の目標受信電力は、メッセージ３の物理アップリンク共有チャネル送信のセル特有目標受信電力である、方法。
【請求項３４】
前記第２の目標受信電力に従って前記第１の目標受信電力を求めることは、前記第２の目標受信電力を前記第１の目標受信電力と見なすことを含み、または、
前記第３の目標受信電力に従って前記第１の目標受信電力を求めることは、前記第３の目標受信電力を前記第１の目標受信電力と見なすことを含み、または、
前記第４の目標受信電力に従って前記第１の目標受信電力を求めることは、前記第４の目標受信電力を前記第１の目標受信電力と見なすことを含む、請求項３３に記載の方法。
【請求項３５】
前記第１の目標受信電力を求めることは、
前記第２の目標受信電力が提供される場合、前記第２の目標受信電力を前記第１の目標受信電力と見なすこと、
前記第２の目標受信電力が提供されない場合、前記第３の目標受信電力を前記第１の目標受信電力と見なすこと、
前記第２の目標受信電力が提供されない場合、前記第４の目標受信電力を前記第１の目標受信電力と見なすこと、
前記第３の目標受信電力が提供される場合、前記第３の目標受信電力を前記第１の目標受信電力と見なすこと、
前記第３の目標受信電力が提供されない場合、前記第２の目標受信電力を前記第１の目標受信電力と見なすこと、または、
前記第３の目標受信電力が提供されない場合、前記第４の目標受信電力を前記第１の目標受信電力と見なすことのうちの少なくとも１つを含む、請求項３３に記載の方法。
【請求項３６】
前記第１の目標受信電力を求めることは、
前記非動的許可送信のパラメータが提供される場合、前記第２の目標受信電力を前記第１の目標受信電力と見なすこと、
前記非動的許可送信の前記パラメータが提供されない場合、前記第３の目標受信電力を前記第１の目標受信電力と見なすこと、
前記非動的許可送信の前記パラメータが提供されない場合、前記第４の目標受信電力を前記第１の目標受信電力と見なすこと、
前記動的許可ベース送信のパラメータが提供される場合、前記第３の目標受信電力を前記第１の目標受信電力と見なすこと、または、
前記動的許可ベース送信の前記パラメータが提供されない場合、前記第４の目標受信電力を前記第１の目標受信電力と見なすことのうちの少なくとも１つを含む、請求項３３に記載の方法。
【請求項３７】
前記第１の目標受信電力を求めることは、
前記仮想電力ヘッドルームを計算するためのＵＥ特有目標受信電力が前記動的許可ベース送信用に構成される場合、前記第３の目標受信電力を前記第１の目標受信電力と見なすこと、
前記仮想電力ヘッドルームを計算するための前記ＵＥ特有目標受信電力が前記動的許可ベース送信用に構成されない場合、前記第２の目標受信電力を前記第１の目標受信電力と見なすこと、
前記仮想電力ヘッドルームを計算するための前記ＵＥ特有目標受信電力が前記動的許可ベース送信用に構成されない場合、前記第４の目標受信電力を前記第１の目標受信電力と見なすこと、
前記仮想電力ヘッドルームを計算するための前記ＵＥ特有目標受信電力が前記非動的許可送信用に構成される場合、前記第２の目標受信電力を前記第１の目標受信電力と見なすこと、
前記仮想電力ヘッドルームを計算するための前記ＵＥ特有目標受信電力が前記非動的許可送信用に構成されない場合、前記第３の目標受信電力を前記第１の目標受信電力と見なすこと、または、
前記仮想電力ヘッドルームを計算するための前記ＵＥ特有目標受信電力が前記非動的許可送信用に構成されない場合、前記第４の目標受信電力を前記第１の目標受信電力と見なすことのうちの少なくとも１つを含む、請求項３３に記載の方法。
【請求項３８】
目標受信電力を求めるための装置であって、第７の判定モジュールを備え、前記第７の判定モジュールは、第２の目標受信電力、第３の目標受信電力、または第４の目標受信電力のうちの少なくとも１つに従って第１の目標受信電力を求めるように構成され、
前記第１の目標受信電力は、仮想電力ヘッドルームを計算するためのセル特有目標受信電力であり、前記第２の目標受信電力は、非動的許可送信用に構成されたセル特有目標受信電力であり、前記第３の目標受信電力は、動的許可ベース送信用に構成されたセル特有目標受信電力であり、前記第４の目標受信電力は、メッセージ３の物理アップリンク共有チャネル送信のセル特有目標受信電力である、装置。
【請求項３９】
目標受信電力を求めるための装置であって、プロセッサとコンピュータ可読記憶媒体とを備え、前記コンピュータ可読記憶媒体は命令を格納し、前記命令は、前記プロセッサによって実行されると、請求項３３〜３７のうちのいずれか１項に記載の前記目標受信電力を求めるための方法を実現する、装置。
【請求項４０】
コンピュータプログラムを格納し、前記コンピュータプログラムは、プロセッサによって実行されると、請求項３３〜３７のうちのいずれか１項に記載の前記目標受信電力を求めるための方法のステップを実現する、コンピュータ可読記憶媒体。
【発明の詳細な説明】
【技術分野】
【０００１】
本出願は、２０１８年８月１０日に中国特許庁に出願された中国特許出願第２０１８１０９１０２８３．１号および２０１８年９月１４日に中国特許庁に出願された中国特許出願第２０１８１１０７６５８０．７号の優先権を主張し、ここにそれらの開示全体が引用により援用される。
【０００２】
技術分野
本開示の実施形態は、無線通信の分野、特に電力制御方法および装置、ならびに目標受信電力を求めるための方法および装置に関するが、これらに限定されるわけではない。
【背景技術】
【０００３】
背景
現在、新たな無線（ＮＲ）技術が策定されつつある。第５世代の移動通信システムとして、この技術は、膨大な数の異なるタイプのアプリケーションシナリオをサポートする必要があり、かつ、従来の周波数帯、新しい高周波数帯、およびビームモードを同時にサポートする必要があり、これによって、電力制御の設計に大きな課題をもたらしている。
【０００４】
アップリンク送信の電力制御は、パスロス（ＰＬ）、目標受信電力、最大送信電力、閉ループ電力調整量、送信帯域幅、送信速度など、多くの要素に関係がある。ＮＲでは、アップリンク送信は少なくとも、物理アップリンク共有チャネル（ＰＵＳＣＨ）、物理アップリンク制御チャネル（ＰＵＣＣＨ）およびサウンディング参照信号（ＳＲＳ）を含む。
【０００５】
関連技術では、１つの送信の電力制御に用いられる電力制御パラメータのいずれか１つのパラメータの数は１であり、技術の発展に伴い、マルチビームシナリオまたはマルチパネルシナリオまたはマルチ送信受信ノード（ＴＲＰ）シナリオをサポートしなければならず、１つの送信の電力制御に用いられる電力制御パラメータのパラメータの数は複数であることが必要になってきているが、関連技術では効果的な方式は示されていない。
【発明の概要】
【課題を解決するための手段】
【０００６】
概要
本開示の実施形態は、１つの送信用に電力制御パラメータを構成可能であり、かつ、構成された電力制御パラメータの少なくとも１つのパラメータの数が１より大きい電力制御方法および装置、ならびに目標受信電力を求めるための方法および装置を提供する。
【０００７】
本開示のある実施形態は、電力制御方法を提供する。電力制御方法は、送信の空間領域リソース情報を受信することと、送信の電力制御パラメータを、送信の空間領域リソース情報と、空間領域リソース情報と電力制御パラメータとの関連付けとに従って求めることとを備え、送信の電力制御パラメータの少なくとも１つのパラメータの数は１より大きく、さらに、送信の電力制御パラメータに従って、送信の送信電力求めることを備える。
【０００８】
本開示のある実施形態では、電力制御パラメータは、開ループ電力制御パラメータ、閉ループ電力制御パラメータ、またはパスロス測定パラメータのうちの少なくとも１つを含む。
【０００９】
本開示のある実施形態では、開ループ電力制御パラメータは、目標受信電力またはパスロス係数のうちの少なくとも１つを含み、パスロス測定パラメータは、パスロス測定用の参照信号リソースタイプインジケータ、またはパスロス測定用の参照信号リソースインジケータのうちの少なくとも１つを含み、閉ループ電力制御パラメータは、閉ループ電力制御プロセス識別子、または閉ループ電力制御プロセスの数のうちの少なくとも１つを含む。
【００１０】
本開示のある実施形態では、送信の送信電力は、少なくとも１つのサブ送信の送信電力を含む。
【００１１】
本開示のある実施形態では、送信の少なくとも１つの空間領域リソース情報と、空間領域リソース情報と電力制御パラメータとの関連付けとに従って、送信の電力制御パラメータを求めるステップは、関連付けにおける送信の空間領域リソース情報と関連付けられた電力制御パラメータを送信の電力制御パラメータと見なすこと、または、関連付けにおけるすべての第１の特定の空間領域リソース情報と関連付けられた電力制御パラメータを、送信の電力制御パラメータと見なすことであって、すべての第１の特定の空間領域リソース情報の各々は、送信の空間領域リソース情報によって示される参照信号リソースのうちの１つを示すこと、または、関連付けに従って、送信の空間領域リソース情報によって示される各参照信号リソースグループの電力制御パラメータを求め、送信の空間領域リソース情報によって示されるすべての参照信号リソースグループの電力制御パラメータを、送信の電力制御パラメータと見なすことのうちのいずれか１つを含む。
【００１２】
本開示のある実施形態では、関連付けに従って、送信の空間領域リソース情報によって示される各参照信号リソースグループの電力制御パラメータを求めるステップは、関連付けにおけるすべての第２の特定の空間領域リソース情報と関連付けられた電力制御パラメータに従って、送信の参照信号リソースグループの電力制御パラメータを求め、すべての第２の特定の空間領域リソース情報の各々は、参照信号リソースグループ内の１つの参照信号リソースを示すこと、または、関連付けにおける第３の特定の空間領域リソース情報と関連付けられた電力制御パラメータを、参照信号リソースグループの電力制御パラメータと見なすことであって、第３の特定の空間領域リソース情報は、参照信号リソースグループ内のすべての参照信号リソースを示すことのうちのいずれか１つを含む。
【００１３】
本開示のある実施形態では、空間領域リソース情報によって示される参照信号リソースは、事前に定義されたグループ分けのメンバーに従ってグループ分けする方法、事前に定義されたもしくは構成されたグループ分けの数に基づいて所定のルールに従って求められたグループ分けのメンバーに従ってグループ分けする方法、または、構成されたグループ分けのメンバーに従ってグループ分けする方法のうちのいずれか１つに従ってグループ分けされる。
【００１４】
本開示のある実施形態では、参照信号リソースグループとサブ送信の送信電力との関連付けがある。
【００１５】
本開示のある実施形態では、関連付けと送信の空間領域リソース情報とに従って送信の電力制御パラメータを求めるステップは、送信の特定のタイプ、関連付け、および送信の空間領域リソース情報に従って送信の電力制御パラメータを求めることを含み、特定のタイプは、サービスタイプまたはスケジューリングタイプを含む。
【００１６】
本開示のある実施形態では、送信の電力制御パラメータに従って、送信の送信電力を求めるステップは、送信の電力制御パラメータに従って、送信の初期送信電力を求めることと、送信の初期送信電力と、送信の基本的な特定のタイプに対する送信の特定のタイプの事前に定義された送信電力オフセットとに従って、送信の最終的な送信電力を求めることとを含み、特定のタイプは、サービスタイプまたはスケジューリングタイプを含む。
【００１７】
本開示のある実施形態では、空間領域リソース情報は、参照信号リソース情報または空間関係情報のうちの少なくとも１つを含む。
【００１８】
本開示のある実施形態は、電力制御方法を提供する。電力制御方法は、空間領域リソース情報と電力制御パラメータとの関連付けを構成することと、送信の空間領域リソース情報を構成するまたは示すこととを備える。
【００１９】
本開示のある実施形態では、送信の空間領域リソース情報を構成するまたは示すステップは、上位層シグナリング、ダウンリンク制御情報、メディアアクセス制御シグナリングまたは物理層制御シグナリングのうちの少なくとも１つを介して、送信の空間領域リソース情報を構成するまたは示すことを含む。
【００２０】
本開示のある実施形態では、空間領域リソース情報によって示されるすべての参照信号リソースは、電力制御パラメータを共有し、または、空間領域リソース情報によって示される各参照信号リソースは、電力制御パラメータのうちの１つのパラメータに対応し、または、Ｎが１より大きくＭより小さい整数であり、Ｍが空間領域リソース情報によって示される参照信号リソースの数である場合、空間領域リソース情報によって示される参照信号リソースは、Ｎ個のグループに分類され、各グループは、電力制御パラメータのうちの１つのパラメータに対応する。
【００２１】
本開示のある実施形態では、空間領域リソース情報と関連付けられた電力制御パラメータのパラメータの数が１の場合、空間領域リソース情報によって示されるすべての参照信号リソースは電力制御パラメータを共有し、空間領域リソース情報と関連付けられた電力制御パラメータのパラメータの数がＭの場合、空間領域リソース情報によって示される各参照信号リソースはＭ個のパラメータのうちの１つに対応し、空間領域リソース情報と関連付けられた電力制御パラメータのパラメータの数がＮの場合、空間領域リソース情報によって示される参照信号リソースは、Ｎ個のグループに分類され、各グループはＮ個のパラメータのうちの１つに対応し、Ｎは１より大きくＭより小さい整数であり、Ｍは空間領域リソース情報によって示される参照信号リソースの数である。
【００２２】
本開示のある実施形態では、送信によってサポートされるすべての特定のタイプは、電力制御パラメータを共有し、送信によってサポートされる各特定のタイプは電力制御パラメータのうちの１つのパラメータに対応し、送信によってサポートされるすべての特定のタイプは、Ｙ個のグループに分類され、各グループは、電力制御パラメータのうちの１つのパラメータに対応し、Ｘは送信によってサポートされる特定のタイプの数であり、Ｙは１より大きくＸより小さい整数である。
【００２３】
本開示のある実施形態では、空間領域リソース情報と関連付けられた電力制御パラメータのパラメータの数が１の場合、送信によってサポートされるすべての特定のタイプは電力制御パラメータを共有し、空間領域リソース情報と関連付けられた電力制御パラメータのパラメータの数がＸの場合、送信によってサポートされる各特定のタイプは、Ｘ個のパラメータのうちの１つに対応し、空間領域リソース情報と関連付けられた電力制御パラメータのパラメータの数が、１より大きくＸより小さい整数であるＹの場合、送信によってサポートされるすべての特定のタイプはＹ個のグループに分類され、各グループはＹ個のパラメータのうちの１つに対応し、各グループはＹ個のパラメータに対応し、Ｘは送信によってサポートされる特定のタイプの数であり、Ｙは１より大きくＸより小さい整数である。
【００２４】
本開示のある実施形態は、電力制御方法を提供する。電力制御方法は、送信の空間領域リソース情報を受信することと、空間領域リソース情報と電力制御パラメータとの関連付けにおいて送信の空間領域リソース情報と関連付けられた電力制御パラメータを求めることとを備え、求められた電力制御パラメータの少なくとも１つのパラメータの数は１より大きく、さらに、求められた電力制御パラメータに従って、送信の特定のタイプに対応する電力制御パラメータを求めることを備え、特定のタイプは、サービスタイプまたはスケジューリングタイプを含む。
【００２５】
本開示のある実施形態では、求められた電力制御パラメータに従って、送信の特定のタイプに対応する電力制御パラメータを求めるステップは、求められた電力制御パラメータから送信の特定のタイプに対応する電力制御パラメータを選択すること、または、求められた電力制御パラメータと、送信の基本的な特定のタイプに対する送信の特定のタイプの事前に定義された電力制御パラメータオフセットとに従って、送信の特定のタイプに対応する電力制御パラメータを求めることのうちのいずれか１つを含む。
【００２６】
本開示のある実施形態では、送信によってサポートされるすべての特定のタイプは、電力制御パラメータを共有し、送信によってサポートされる各特定のタイプは、電力制御パラメータのうちの１つのパラメータに対応し、送信によってサポートされるすべての特定のタイプは、Ｙ個のグループに分類され、各グループは、電力制御パラメータのうちの１つのパラメータに対応し、Ｘは送信によってサポートされる特定のタイプの数であり、Ｙは１より大きくＸより小さい整数である。
【００２７】
本開示のある実施形態では、空間領域リソース情報と関連付けられた電力制御パラメータのパラメータの数が１の場合、送信によってサポートされるすべての特定のタイプは電力制御パラメータを共有し、空間領域リソース情報と関連付けられた電力制御パラメータのパラメータの数がＸの場合、送信によってサポートされる各特定のタイプは、Ｘ個のパラメータのうちの１つに対応し、空間領域リソース情報と関連付けられた電力制御パラメータのパラメータの数が、１より大きくＸより小さい整数であるＹの場合、送信によってサポートされるすべての特定のタイプはＹ個のグループに分類され、各グループはＹ個のパラメータのうちの１つに対応し、Ｘは送信によってサポートされる特定のタイプの数であり、Ｙは１より大きくＸより小さい整数である。
【００２８】
本開示のある実施形態は、電力制御方法を提供する。電力制御方法は、送信の空間領域リソース情報を受信することと、送信の空間領域リソース情報と、空間領域リソース情報と電力制御パラメータとの関連付けとに従って、送信の電力制御パラメータを求めることと、送信の電力制御パラメータに従って、送信の初期送信電力を求めることと、初期送信電力と、送信の基本的な特定のタイプに対する送信の特定のタイプの事前に定義された送信電力オフセットとに従って、送信の最終的な送信電力を求めることとを備え、特定のタイプは、サービスタイプまたはスケジューリングタイプを含む。
【００２９】
本開示のある実施形態は、電力制御装置を提供する。電力制御装置は、第１の受信モジュールと、第１の判定モジュールと、第２の判定モジュールとを備える。第１の受信モジュールは、送信の空間領域リソース情報を受信するように構成される。第１の判定モジュールは、送信の空間領域リソース情報と、空間領域リソース情報と電力制御パラメータとの関連付けとに従って、送信の電力制御パラメータを求めるように構成され、送信の電力制御パラメータの少なくとも１つのパラメータの数は１より大きい。第２の判定モジュールは、送信の電力制御パラメータに従って送信の送信電力を求めるように構成される。
【００３０】
本開示のある実施形態は、電力制御装置を提供する。電力制御装置は、第１の構成モジュールと第２の構成モジュールとを備える。第１の構成モジュールは、空間領域リソース情報と電力制御パラメータとの関連付けを構成するように構成される。第２の構成モジュールは、送信の空間領域リソース情報を構成するまたは示すように構成される。
【００３１】
本開示のある実施形態は、電力制御装置を提供する。電力制御装置は、第２の受信モジュールと、第１の探索モジュールと、第３の判定モジュールとを備える。第２の受信モジュールは、送信の空間領域リソース情報を受信するように構成される。第１の探索モジュールは、空間領域リソース情報と電力制御パラメータとの関連付けにおける送信の空間領域リソース情報と関連付けられた電力制御パラメータを求めるように構成され、求められた電力制御パラメータの少なくとも１つのパラメータの数は１より大きい。第３の判定モジュールは、求められた電力制御パラメータに従って、送信の特定のタイプに対応する電力制御パラメータを求めるように構成され、特定のタイプは、サービスタイプまたはスケジューリングタイプを含む。
【００３２】
本開示のある実施形態は、電力制御装置を提供する。電力制御装置は、第３の受信モジュールと、第４の判定モジュールと、第５の判定モジュールとを備える。第３の受信モジュールは、送信の空間領域リソース情報を受信するように構成される。第４の判定モジュールは、送信の空間領域リソース情報と、空間領域リソース情報と電力制御パラメータとの関連付けとに従って、送信の電力制御パラメータを求めるように構成される。第５の判定モジュールは、送信の電力制御パラメータに従って、送信の初期送信電力を求め、初期送信電力と、送信の基本的な特定のタイプに対する送信の特定のタイプの事前に定義された送信電力オフセットとに従って、送信の最終的な送信電力を求めるように構成され、特定のタイプは、サービスタイプまたはスケジューリングタイプを含む。
【００３３】
本開示のある実施形態は、電力制御装置を提供する。電力制御装置は、プロセッサとコンピュータ可読記憶媒体とを備える。コンピュータ可読記憶媒体は、命令を格納する。命令は、プロセッサによって実行されると、上述の電力制御方法のうちいずれか１つを実現する。
【００３４】
本開示のある実施形態は、コンピュータ可読記憶媒体を提供する。コンピュータ可読記憶媒体は、コンピュータプログラムを格納する。コンピュータプログラムは、プロセッサによって実行されると、上述の電力制御方法のうちのいずれか１つのステップを実現する。
【００３５】
本開示のある実施形態は、目標受信電力を求めるための方法を提供する。方法は、仮想電力ヘッドルームを計算するためのセル特有目標受信電力である第１の目標受信電力を、第２の目標受信電力を第１の目標受信電力と見なす方式、第３の目標受信電力を第１の目標受信電力と見なす方式、仮想電力ヘッドルーム報告のＵＥ特有目標受信電力が動的許可ベースサービス用に構成される場合、第３の目標受信電力を第１の目標受信電力と見なし、そうでない場合、第２の目標受信電力を第１の目標受信電力と見なす方式、または、仮想電力ヘッドルーム報告のＵＥ特有目標受信電力が非動的許可サービス用に構成される場合、第２の目標受信電力を第１の目標受信電力と見なし、そうでない場合、第３の目標受信電力を第１の目標受信電力と見なす方式のうちのいずれか１つを採用することによって求めることを備え、第２の目標受信電力は、非動的許可送信用に構成されたセル特有目標受信電力であり、第３の目標受信電力は、動的許可ベース送信用に構成されたセル特有目標受信電力である。
【００３６】
本開示のある実施形態は、目標受信電力を求めるための装置を提供する。装置は、第６の判定モジュールを備える。第６の判定モジュールは、仮想電力ヘッドルームを計算するためのセル特有目標受信電力である第１の目標受信電力を、第２の目標受信電力を第１の目標受信電力と見なす方式、第３の目標受信電力を第１の目標受信電力と見なす方式、仮想電力ヘッドルーム報告のＵＥ特有目標受信電力が動的許可ベースサービス用に構成される場合、第３の目標受信電力を第１の目標受信電力と見なし、そうでない場合、第２の目標受信電力を第１の目標受信電力と見なす方式、または、仮想電力ヘッドルーム報告のＵＥ特有目標受信電力が非動的許可サービス用に構成される場合、第２の目標受信電力を第１の目標受信電力と見なし、そうでない場合、第３の目標受信電力を第１の目標受信電力と見なす方式のうちのいずれか１つを採用することによって求めるように構成され、第２の目標受信電力は、非動的許可送信用に構成されたセル特有目標受信電力であり、第３の目標受信電力は、動的許可ベース送信用に構成されたセル特有目標受信電力である。
【００３７】
本開示のある実施形態は、目標受信電力を求めるための装置を提供する。装置は、プロセッサとコンピュータ可読記憶媒体とを備える。コンピュータ可読記憶媒体は、命令を格納する。命令は、プロセッサによって実行されると、上述の目標受信電力を求めるための方法のうちいずれか１つを実現する。
【００３８】
本開示のある実施形態は、コンピュータ可読記憶媒体を提供する。コンピュータ可読記憶媒体は、コンピュータプログラムを格納する。コンピュータプログラムは、プロセッサによって実行されると、上述の目標受信電力を求めるための方法のうちのいずれか１つのステップを実現する。
【００３９】
本開示のある実施形態は、目標受信電力を求めるための方法を提供する。方法は、第２の目標受信電力、第３の目標受信電力、または第４の目標受信電力のうちの少なくとも１つに従って第１の目標受信電力を求めることを備える。第１の目標受信電力は、仮想電力ヘッドルームを計算するためのセル特有目標受信電力である。第２の目標受信電力は、非動的許可送信用に構成されたセル特有目標受信電力である。第３の目標受信電力は、動的許可ベース送信用に構成されたセル特有目標受信電力である。第４の目標受信電力は、メッセージ３の物理アップリンク共有チャネル送信のセル特有目標受信電力である。
【００４０】
本開示の実施形態では、第２の目標受信電力に従って第１の目標受信電力を求めるステップは、第２の目標受信電力を第１の目標受信電力と見なすことを含み、または、第３の目標受信電力に従って第１の目標受信電力を求めるステップは、第３の目標受信電力を第１の目標受信電力と見なすことを含み、または、第４の目標受信電力に従って第１の目標受信電力を求めるステップは、第４の目標受信電力を第１の目標受信電力と見なすことを含む。
【００４１】
本開示の実施形態では、第１の目標受信電力を求めるステップは、第２の目標受信電力が提供される場合、第２の目標受信電力を第１の目標受信電力と見なすこと、第２の目標受信電力が提供されない場合、第３の目標受信電力を第１の目標受信電力と見なすこと、第２の目標受信電力が提供されない場合、第４の目標受信電力を第１の目標受信電力と見なすこと、第３の目標受信電力が提供される場合、第３の目標受信電力を第１の目標受信電力と見なすこと、第３の目標受信電力が提供されない場合、第２の目標受信電力を第１の目標受信電力と見なすこと、または、第３の目標受信電力が提供されない場合、第４の目標受信電力を第１の目標受信電力と見なすことのうちの少なくとも１つを含む。
【００４２】
本開示の実施形態では、第１の目標受信電力を求めるステップは、非動的許可送信のパラメータが提供される場合、第２の目標受信電力を第１の目標受信電力と見なすこと、非動的許可送信のパラメータが提供されない場合、第３の目標受信電力を第１の目標受信電力と見なすこと、非動的許可送信のパラメータが提供されない場合、第４の目標受信電力を第１の目標受信電力と見なすこと、動的許可ベース送信のパラメータが提供される場合、第３の目標受信電力を第１の目標受信電力と見なすこと、または、動的許可ベース送信のパラメータが提供されない場合、第４の目標受信電力を第１の目標受信電力と見なすことのうちの少なくとも１つを含む。
【００４３】
本開示の実施形態では、第１の目標受信電力を求めるステップは、仮想電力ヘッドルームを計算するためのＵＥ特有目標受信電力が動的許可ベース送信用に構成される場合、第３の目標受信電力を第１の目標受信電力と見なすこと、仮想電力ヘッドルームを計算するためのＵＥ特有目標受信電力が動的許可ベース送信用に構成されない場合、第２の目標受信電力を第１の目標受信電力と見なすこと、仮想電力ヘッドルームを計算するためのＵＥ特有目標受信電力が動的許可ベース送信用に構成されない場合、第４の目標受信電力を第１の目標受信電力と見なすこと、仮想電力ヘッドルームを計算するためのＵＥ特有目標受信電力が非動的許可送信用に構成される場合、第２の目標受信電力を第１の目標受信電力と見なすこと、仮想電力ヘッドルームを計算するためのＵＥ特有目標受信電力が非動的許可送信用に構成されない場合、第３の目標受信電力を第１の目標受信電力と見なすこと、または、仮想電力ヘッドルームを計算するためのＵＥ特有目標受信電力が非動的許可送信用に構成されない場合、第４の目標受信電力を第１の目標受信電力と見なすことのうちの少なくとも１つを含む。
【００４４】
本開示のある実施形態は、目標受信電力を求めるための装置を提供する。装置は、第７の判定モジュールを備える。第７の判定モジュールは、第２の目標受信電力、第３の目標受信電力、または第４の目標受信電力のうちの少なくとも１つに従って、第１の目標受信電力を求めるように構成される。第１の目標受信電力は、仮想電力ヘッドルームを計算するためのセル特有目標受信電力である。第２の目標受信電力は、非動的許可送信用に構成されたセル特有目標受信電力である。第３の目標受信電力は、動的許可ベース送信用に構成されたセル特有目標受信電力である。第４の目標受信電力は、メッセージ３の物理アップリンク共有チャネル送信のセル特有目標受信電力である。
【００４５】
本開示のある実施形態は、目標受信電力を求めるための装置を提供する。装置は、プロセッサとコンピュータ可読記憶媒体とを備える。コンピュータ可読記憶媒体は、命令を格納する。命令は、プロセッサによって実行されると、上述の目標受信電力を求めるための方法のいずれか１つを実現する。
【００４６】
本開示のある実施形態は、コンピュータ可読記憶媒体を提供する。コンピュータ可読記憶媒体は、コンピュータプログラムを格納する。コンピュータプログラムは、プロセッサによって実行されると、上述の目標受信電力を求めるための方法のうちのいずれか１つのステップを実現する。
【００４７】
本開示の実施形態は、送信に対応する空間領域リソース情報を求めることと、送信の電力制御パラメータを、送信の空間領域リソース情報と、空間領域リソース情報と電力制御パラメータとの関連付けとに従って求めることとを備え、送信の電力制御パラメータの少なくとも１つのパラメータの数は１より大きく、さらに、送信の電力制御パラメータに従って、送信の送信電力を求めることを含む。本開示の実施形態によると、電力制御パラメータが１つの送信用に構成され、ビームシナリオまたはパネルシナリオまたはマルチＴＲＰシナリオをサポートするように、構成された電力制御パラメータの少なくとも１つのパラメータの数は１より大きい。
【００４８】
添付の図面は、本開示の実施形態の技術的な体系のさらなる理解を提供し明細書の一部を構成することを意図しており、添付の図面は、本開示の実施形態と共に本開示の実施形態の技術的な体系を説明することを意図しており、本開示の実施形態の技術的な体系を限定するものではない。
【図面の簡単な説明】
【００４９】
【図１】本開示のある実施形態が提案する電力制御方法のフローチャートである。
【図２】本開示の別の実施形態が提案する電力制御方法のフローチャートである。
【図３】本開示の別の実施形態が提案する電力制御方法のフローチャートである。
【図４】本開示の別の実施形態が提案する電力制御方法のフローチャートである。
【図５】本開示のある実施形態に係る基地局とユーザ装置（ＵＥ）とのビーム関係の模式図である。
【図６】本開示のある実施形態の例１における電力制御方法のフローチャートである。
【図７】本開示の別の実施形態が提案する電力制御装置の構造的な構成の模式図である。
【図８】本開示の別の実施形態が提案する電力制御装置の構造的な構成の模式図である。
【図９】本開示の別の実施形態が提案する電力制御装置の構造的な構成の模式図である。
【図１０】本開示の別の実施形態が提案する電力制御装置の構造的な構成の模式図である。
【図１１】本開示の別の実施形態が提案する、目標受信電力を求めるための方法のフローチャートである。
【図１２】本開示の別の実施形態が提案する、目標受信電力を求めるための装置の構造的な構成の模式図である。
【図１３】本開示の別の実施形態が提案する、目標受信電力を求めるための方法のフローチャートである。
【図１４】本開示の別の実施形態が提案する、目標受信電力を求めるための装置の構造的な構成の模式図である。
【発明を実施するための形態】
【００５０】
詳細な説明
本開示の実施形態を、添付の図面を参照して以下で詳細に説明する。なお、本開示の実施形態および実施形態の特徴は、矛盾が生じない場合は互いに任意に組み合わせてもよい。
【００５１】
添付の図面のフローチャートに示すステップは、コンピュータ実行可能命令のセットなど、コンピュータシステムにおいて行われてもよい。さらに、論理シーケンスがフローチャートに示されているが、場合によっては、図示または説明されるステップは、本明細書の順序とは異なる順序で行われてもよい。
【００５２】
無線通信システムでは、送信装置の消費電力を低減し他の送信に対する不必要に高い電力送信の干渉を低減するために、送信の送信電力を制御する必要がある。通信範囲の大きさ、２個の通信相手の送受信装置の最大送信電力および受信感度、データの変調・符号化モードおよび速度、動作周波数帯、送信が占める帯域幅などの要素はすべて、送信電力に影響を及ぼす。一般に、受信側の受信信号の要求品質を満たす条件では、比較的低い送信電力をできる限り使用することが必要である。
【００５３】
一般的な通信技術では、電力制御は、開ループ電力制御と閉ループ電力制御とを含む。
開ループ電力制御は、ＰＬに基づく電力制御を表す、すなわち、第１の通信ノードは参照信号を送信し、第２の通信ノードは、この参照信号に従って第１の通信ノードから第２の通信ノードまでのＰＬを測定する。ここで、ＰＬは、第１の通信ノードが送信する参照信号の送信電力と第２の通信ノードが受信する参照信号の受信電力との差である。第１の通信ノードに対する第２の通信ノードの送信のＰＬが第２の通信ノードに対する第１の通信ノードの送信のＰＬと同じだとすれば、第２の通信ノードが送信ノードとして機能する場合、第２の通信ノードは、上述のＰＬを用いて、第１の通信ノードに対する送信の送信電力を計算可能である。ＰＬは一方的な測定結果であるため、ＰＬは、送信電力制御における開ループ部分に属する。
【００５４】
閉ループ電力制御とは、第１の通信ノードが送信を受信後に分析を行い、受信した品質に従って第２の通信ノード用に電力調整情報を提供することである。
【００５５】
閉ループ電力制御とは、第１の通信ノードが送信を受信後にパースし、受信した品質に従って第２の通信ノード用に電力調整情報を提供することである。
【００５６】
ロング・ターム・エボリューション（ＬＴＥ）の場合、基地局から端末までのリンクがダウンリンクであり、端末から基地局までのリンクがアップリンクである。ダウンリンクの送信電力は、１つ以上のスケジューリングユーザ装置（ＵＥ）のチャネル測定結果とスケジューリングアルゴリズムとに従って基地局によって求められ、アップリンクの送信電力は、開ループ電力制御と閉ループ電力制御とを組合わせることによって求められる。さらに、送信電力は、送信速度、変調符号化方式（ＭＣＳ）レベル、送信帯域幅など、送信に関する特定の量にも関連する。
【００５７】
以下は、ＬＴＥの物理アップリンク共有チャネル（ＰＵＳＣＨ）の送信電力の計算式であり、送信電力に影響を及ぼすパラメータについて、計算式を例として説明する。
【００５８】
【数１】
2021534630.tif 000003
【００５９】
上述の数式では、下付文字ｃはサービングセルを表す。キャリアアグリゲーション（ＣＡ）シナリオでは、各ＵＥは少なくとも１つのコンポーネントキャリア（ＣＣ）をサポートし、各ＣＣは１つのサービングセルとも呼ばれる。上述の数式から、電力計算式における各パラメータは、サービングセル用に構成または計算されることが分かる。
【００６０】
【数２】
2021534630.tif 000004
【００６１】
５Ｇ技術では、アップリンク送信の電力制御は、帯域幅部分（ＢＷＰ）レベルである、すなわち、送信電力は、各ＢＷＰレベルのアップリンク送信についてそれぞれ求められる。
【００６２】
５Ｇ技術はビーム送信方式を導入し、基地局とＵＥとの両方が複数のビームをサポートする。ビームモードで動作する場合、ビームの特性は、電力計算によって考慮されなければならない。５Ｇにおけるパスロス測定のためのリソースは、伝送路のビームと関係があり、パスロス測定パラメータが開ループ電力パラメータおよび閉ループ電力パラメータと関係なく存在するように、基地局によって構成されなければならない。
【００６３】
ビーム方式をサポートするために、電力制御パラメータは、３個の部分、すなわち、開ループ電力制御パラメータ、閉ループ電力制御パラメータおよびパスロス測定パラメータにおいて構成される。パスロス測定パラメータは、パスロス測定の参照信号（ＲＳ）パラメータとも呼ばれる。電力制御パラメータの各部分は、複数の構成をサポートする、すなわち、最大でＪ個の開ループ電力制御パラメータが構成されてもよく、各開ループ電力制御パラメータのナンバリングはｊであり、最大でＫ個のパスロス測定パラメータが構成されてもよく、各パスロス測定パラメータのナンバリングはｋであり、最大でＬ個の閉ループ電力制御パラメータが構成されてもよく、各閉ループ電力制御パラメータのナンバリングはｌであり、ここで、ｊは０より大きくＪ以下の整数であり、ｋは０より大きくＫ以下の整数であり、ｌは０より大きくＬ以下の整数であり、Ｊ、ＫおよびＬはすべて０より大きい整数である。
【００６４】
開ループ電力制御パラメータは、目標受信電力またはパスロス係数のうちの少なくとも１つを含む。
【００６５】
パスロス測定パラメータは、パスロス測定用の参照信号リソースタイプインジケータ、パスロス測定用の参照信号リソースインジケータ、またはパスロス測定用の２つ以上の参照信号のパスロス値の処理ルールのうちの少なくとも１つを含む。
【００６６】
閉ループ電力制御パラメータは、閉ループ電力制御プロセス識別子セット、または閉ループ電力制御プロセスの数のうちの少なくとも１つを含む。
【００６７】
ＵＥが複数のビーム（またはビームグループ）をサポートする場合、基地局は、各可能なビーム（またはビームグループ）と、開ループ電力制御パラメータ、閉ループ電力制御パラメータ、パスロス測定パラメータとの関連付けを構成する。ビーム（またはビームグループ）は、参照信号リソースによって示されてもよい。
【００６８】
参照信号は、サウンディング参照信号（ＳＲＳ）、チャネル状態情報参照信号（ＣＳＩ−ＲＳ）、セカンダリ同期信号ブロック（ＳＳＢ）、位相トラッキング参照信号（ＰＴＲＳ）、トラッキング参照信号（ＴＲＳ）、または復調参照信号（ＤＭＲＳ）のうちの少なくとも１つを含む。
【００６９】
基地局は、ＵＥが参照信号リソースと関連付けられた電力制御パラメータを取得できるように、ＵＥのアップリンク送信用の参照信号リソースを示す。
【００７０】
例は以下の通りである。
基地局は、ＵＥのＰＵＳＣＨ送信用に、Ｊ１個の開ループ電力制御パラメータと、Ｋ１個のパスロス測定パラメータと、Ｌ１個の閉ループ電力制御パラメータとを構成する。
【００７１】
基地局がＵＥ用のＰＵＳＣＨを構成する送信方式は、コードブックベース送信または非コードブックベース送信などである。
【００７２】
基地局は、ＵＥ用にＰＵＳＣＨベース送信方式のサウンディング参照信号リソースセット（ＳＲＳリソースセット）を構成する、ここで、サウンディング参照信号リソースセットは、少なくとも１つのサウンディング参照信号リソース（ＳＲＳリソース）を含む。
【００７３】
基地局は、ダウンリンク制御情報（ＤＣＩ）をＵＥに送信し、ＤＣＩは、ＳＲＳリソースインジケータ（ＳＲＩ）を含み、ＳＲＩは、ＰＵＳＣＨ送信のプリコーディングを求めるために用いられ得る。異なるＰＵＳＣＨ送信方式用のＤＣＩにおいて示されるＳＲＩセットは異なっていてもよい。たとえば、コードブックベース送信のＳＲＩセットは２個のＳＲＩを有してもよく、各ＳＲＩは、１個のＳＲＳリソースを表す。一方で、非コードブックベース送信のＳＲＩセットは１５個のＳＲＩを有してもよく、各ＳＲＩは、１個のＳＲＳリソースまたは複数のＳＲＳリソースを表す。
【００７４】
基地局は、ＤＣＩにおいて示されるＳＲＩセット内の各メンバＳＲＩと、開ループ電力制御パラメータ番号、パスロス測定パラメータ番号、または閉ループ電力制御パラメータ番号のうちの少なくとも１つとの関連付けを有するＵＥを構成する。
【００７５】
基地局はＵＥに、ＤＣＩ内のＳＲＩを介してＰＵＳＣＨ送信の電力制御パラメータを通知する。
【００７６】
本明細書で説明するアップリンク送信は、物理ランダムアクセスチャネル（ＰＲＡＣＨ）、ＰＵＣＣＨ、ＰＵＳＣＨまたはＳＲＳのうちの少なくとも１つを含む。
【００７７】
図１を参照すると、本開示のある実施形態は、電力制御方法を提案する。この方法は、以下で説明するステップを備える。
【００７８】
ステップ１００で、送信の空間領域リソース情報を受信する。
本開示の実施形態では、空間領域リソース情報は、参照信号リソース情報または空間関係情報のうちの少なくとも１つを含む。
【００７９】
参照信号リソース情報は、ＳＲＳリソースなど、少なくとも１つの参照信号リソースを示す。
【００８０】
参照信号リソース情報は、ＳＲＩなど、参照信号リソースインジケータ識別子でもよい。
【００８１】
空間関係は、少なくとも１つの参照信号または少なくとも１つの参照信号リソースを含む。
【００８２】
送信モードは、送信の空間関係において構成された少なくとも１つの参照信号に基づいて求められてもよく、たとえば、送信の送信ビームは、参照信号の送信ビームと同じであり、または、送信の送信ビームと参照信号の送信ビームとは、特定のチャネル特性仮定を満たす、または、擬似コローケション関係を満たす。
【００８３】
同じ空間関係に属する参照信号は、特定のチャネル特性仮説を満たす、または擬似コロケーション関係を満たす。
【００８４】
ステップ１０１で、送信の電力制御パラメータを、送信の空間領域リソース情報と、空間領域リソース情報と電力制御パラメータとの関連付けとに従って求める、ここで、送信の電力制御パラメータの少なくとも１つのパラメータの数は、１よりも大きい。
【００８５】
本開示の実施形態では、電力制御パラメータは、開ループ電力制御パラメータ、閉ループ電力制御パラメータ、またはパスロス測定パラメータのうちの少なくとも１つを含む。
【００８６】
開ループ電力制御パラメータは、目標受信電力またはパスロス係数のうちの少なくとも１つを含む。
【００８７】
パスロス測定パラメータは、パスロス測定用の参照信号リソースタイプインジケータ、パスロス測定用の参照信号リソースインジケータ、またはパスロス測定用の２つ以上の参照信号のパスロス値の処理ルールのうちの少なくとも１つを含む。
【００８８】
閉ループ電力制御パラメータは、閉ループ制御プロセス識別子セット、または閉ループ電力制御プロセスの数のうちの少なくとも１つを含む。
【００８９】
本開示のある実施形態では、空間領域リソース情報と電力制御パラメータとの関連付けは、構成および表示によって取得されてもよく、具体的に、関連付けは、上位層シグナリング、ダウンリンク制御情報、ＭＡＣシグナリング、もしくは物理層制御シグナリングのうちの少なくとも１つを介して構成されかつ示される、または、関連付けは、再利用する既存の関連付けによって構成され示される。
【００９０】
本開示のある実施形態では、空間領域リソース情報によって示されるすべての参照信号リソースは、電力制御パラメータを共有し、または、空間領域リソース情報によって示される各参照信号リソースは、電力制御パラメータのうちの１つのパラメータに対応し、または、空間領域リソース情報によって示される参照信号リソースは、１より大きくＭより小さい整数であるＮ個のグループに分類され、各グループは電力制御パラメータのうちの１つのパラメータに対応する、ここで、Ｎは１より大きくＭより小さい整数であり、Ｍは空間領域リソース情報によって示される参照信号リソースの数である。
【００９１】
本開示のある実施形態では、空間領域リソース情報と関連付けられた電力制御パラメータのパラメータの数が１の場合、空間領域リソース情報によって示されるすべての参照信号リソースはこのパラメータを共有し、空間領域リソース情報と関連付けられた電力制御パラメータのパラメータの数がＭの場合、空間領域リソース情報によって示される各参照信号リソースはＭ個のパラメータのうちの１つに対応し、空間領域リソース情報と関連付けられた電力制御パラメータのパラメータの数が、１より大きくＭより小さい整数であるＮの場合、空間領域リソース情報によって示される参照信号リソースはＮ個のグループに分類され、各グループはＮ個のパラメータのうちの１つに対応し、ここで、Ｎは１より大きくＭより小さい整数であり、Ｍは空間領域リソース情報によって示される参照信号リソースの数である。
【００９２】
たとえば、基地局は、ＵＥの非コードブックベース送信である送信モード用にＳＲＳリソースセットを構成し、ＳＲＳリソースセットは、４つのＳＲＳリソース、すなわち、ＳＲＳ１〜ＳＲＳ４を含む。用いられたＳＲＳリソースを示すようにＳＲＩ情報がＤＣＩで用いられる場合、最大で以下のような１５個の組合わせがある。
ＳＲＩ０:  ＳＲＳ１
ＳＲＩ１:  ＳＲＳ２
ＳＲＩ２:  ＳＲＳ３
ＳＲＩ３:  ＳＲＳ４
ＳＲＩ４:  ＳＲＳ１  ＳＲＳ２
ＳＲＩ５:  ＳＲＳ１  ＳＲＳ３
ＳＲＩ６:  ＳＲＳ１  ＳＲＳ４
ＳＲＩ７:  ＳＲＳ２  ＳＲＳ３
ＳＲＩ８:  ＳＲＳ２  ＳＲＳ４
ＳＲＩ９:  ＳＲＳ３  ＳＲＳ４
ＳＲＩ１０:  ＳＲＳ１  ＳＲＳ２  ＳＲＳ３
ＳＲＩ１１:  ＳＲＳ１  ＳＲＳ２  ＳＲＳ４
ＳＲＩ１２:  ＳＲＳ１  ＳＲＳ３  ＳＲＳ４
ＳＲＩ１３:  ＳＲＳ２  ＳＲＳ３  ＳＲＳ４
ＳＲＩ１４:  ＳＲＳ１  ＳＲＳ２  ＳＲＳ３  ＳＲＳ４
上述のＳＲＩ４は例として挙げられ、ＳＲＩ４と関連付けられた電力制御パラメータは、
２個の開ループ電力制御パラメータ、２個の閉ループ電力制御パラメータおよび２個のパスロス測定パラメータを含んでもよく、電力制御パラメータの２個のセットは、それぞれＳＲＩ４内の２個のＳＲＳ、すなわち、ＳＲＳ１およびＳＲＳ２に対応し、電力制御パラメータの１個のセットは、１個の開ループ電力制御パラメータ、１個の閉ループ電力制御パラメータおよび１個のパスロス測定パラメータを含む。
【００９３】
上述のＳＲＩ４は例として挙げられ、ＳＲＩ４と関連付けられた電力制御パラメータはさらに、２個の開ループ電力制御パラメータ、２個の閉ループ電力制御パラメータおよび１個のパスロス測定パラメータを含んでもよい。１個のパスロス測定パラメータだけがある場合、このパスロス測定パラメータはＳＲＳ１とＳＲＳ２との間で共有され、開ループ電力制御パラメータの数と閉ループ電力制御パラメータの数とがどちらも２の場合、２個の開ループ電力制御パラメータはそれぞれＳＲＳ１に対応し、２個の閉ループ電力制御パラメータはそれぞれＳＲＳ２に対応する。
【００９４】
上述のＳＲＩ１０は例として挙げられ、ＳＲＩ１０と関連付けられた電力制御パラメータは、１個の開ループ電力制御パラメータ、１個の閉ループ電力制御パラメータおよび１個のパスロス測定パラメータを含んでもよく、ＳＲＳ１、ＳＲＳ２およびＳＲＳ３はこれらの電力制御パラメータを共有する。
【００９５】
上述のＳＲＩ１０は例として挙げられ、ＳＲＩ１０と関連付けられた電力制御パラメータはさらに、３個の開ループ電力制御パラメータ、３個の閉ループ電力制御パラメータおよび３個のパスロス測定パラメータを含んでもよく、ＳＲＳ１、ＳＲＳ２およびＳＲＳ３は、それぞれその電力制御パラメータの１個のセットを用い、電力制御パラメータの１個のセットは、１個の開ループ電力制御パラメータと、１個の閉ループ電力制御パラメータと１個のパスロス測定パラメータとを含む。
【００９６】
上述のＳＲＩ１０は例として挙げられ、ＳＲＩ１０と関連付けられた電力制御パラメータはさらに、３個の開ループ電力制御パラメータ、１個の閉ループ電力制御パラメータおよび３個のパスロス測定パラメータを含んでもよく、ＳＲＳ１、ＳＲＳ２およびＳＲＳ３は１個の閉ループ電力制御パラメータを共有し、ＳＲＳ１、ＳＲＳ２およびＳＲＳ３は、それぞれ上述の３個の開ループ電力制御パラメータのうちの１つを用い、ＳＲＳ１、ＳＲＳ２およびＳＲＳ３は、それぞれ上述の３個のパスロス測定パラメータのうちの１つを用いる。
【００９７】
上述のＳＲＩ１０は例として挙げられ、ＳＲＩ１０と関連付けられた電力制御パラメータはさらに、２個の開ループ電力制御パラメータ、２個の閉ループ電力制御パラメータおよび２個のパスロス測定パラメータを含んでもよく、ＳＲＳ１、ＳＲＳ２およびＳＲＳ３は２個のグループに分類され、各グループは、上述の電力制御パラメータの２個のセットのうちの１個のセットを用い、電力制御パラメータの１個のセットは、１個の開ループ電力制御パラメータ、１個の閉ループ電力制御パラメータおよび１個のパスロス測定パラメータを含む。
【００９８】
上述のＳＲＩ１４は例として挙げられ、ＳＲＩ１４と関連付けられた電力制御パラメータは、２個の開ループ電力制御パラメータ、２個の閉ループ電力制御パラメータおよび１個のパスロス測定パラメータを含んでもよく、ＳＲＳ１、ＳＲＳ２、ＳＲＳ３およびＳＲＳ４は２個のグループに分類され、各グループはそれぞれ２個の開ループ電力制御パラメータのうちの１つを用い、各グループはそれぞれ２個の閉ループ電力制御パラメータのうちの１つを用い、各グループはそれぞれ２個の閉ループ電力制御パラメータのうちの１つを用い、すべてのＳＲＳは１個のパスロス測定パラメータを共有する。
【００９９】
本開示のある実施形態では、電力制御パラメータの１個のセットは、上述のものに限定されるだけでなく、すなわち、１個の開ループ電力制御パラメータ、１個の閉ループ電力制御パラメータおよび１個のパスロス測定パラメータを含むだけでなく、実際は、電力制御パラメータの１個のセットは、１個の開ループ電力制御パラメータ、１個の閉ループ電力制御パラメータまたは１個のパスロス測定パラメータのうちの少なくとも１つを含む。
【０１００】
本開示のある実施形態では、送信によってサポートされるすべての特定のタイプは電力制御パラメータを共有し、送信によってサポートされる各特定のタイプは、電力制御パラメータのうちの１つのパラメータに対応し、送信によってサポートされるすべての特定のタイプはＹ個のグループに分類され、各グループは電力制御パラメータのうちの１つのパラメータに対応する、ここで、Ｘは送信によってサポートされる特定のタイプの数であり、Ｙは１より大きくＸより小さい整数である。
【０１０１】
本開示のある実施形態では、空間領域リソース情報と関連付けられた電力制御パラメータのパラメータの数が１の場合、送信によってサポートされる特定のタイプはすべて、このパラメータを共有し、空間領域リソース情報と関連付けられた電力制御パラメータのパラメータの数がＸの場合、送信によってサポートされる各サービスタイプはＸ個のパラメータのうちの１つに対応し、空間領域リソース情報と関連付けられた電力制御パラメータのパラメータの数が、１より大きくＸより小さい整数であるＹの場合、送信によってサポートされるサービスタイプはすべて、Ｙ個のグループに分類され、各グループはＹ個のパラメータのうちの１つに対応する、ここで、Ｘは送信によってサポートされる特定のタイプの数であり、Ｙは１より大きくＸより小さい整数である。
【０１０２】
本開示のある実施形態では、送信の電力制御パラメータは、以下の方法のうちのいずれか１つを採用することによって求められてもよい。
【０１０３】
第１の方法によると、送信の電力制御パラメータは、関連付けと送信の空間領域リソース情報とに従って直接求められる。特に、以下の３つの方法がある。
【０１０４】
方法１によると、関連付けにおいて送信の空間領域リソース情報と関連付けられた電力制御パラメータを、送信の電力制御パラメータと見なす。
【０１０５】
この方法では、空間領域リソース情報によって示される参照信号リソースのうちの１つで送信される電力制御パラメータは、参照信号リソース、または参照信号リソースが空間領域リソース情報と関連付けられた電力制御パラメータ内に位置するグループの電力制御パラメータである。
【０１０６】
方法２によると、関連付けにおいてすべての第１の特定の空間領域リソース情報と関連付けられた電力制御パラメータは、送信の電力制御パラメータとみなされる、ここで、すべての第１の特定の空間領域リソース情報の各々は、空間領域リソース情報によって示される参照信号リソースのうちの１つを示す。
【０１０７】
この方法では、空間領域リソース情報によって示される参照信号リソースのうちの１つで送信される電力制御パラメータは、第１の特定の空間領域リソース情報と関連付けられた電力制御パラメータである。
【０１０８】
上述のＳＲＩ４は例として挙げられ、ＳＲＩ１およびＳＲＩ２を示し、ＳＲＩ１がＳＲＩ０に対応しＳＲＩ２がＳＲＩ１に対応する場合、ＳＲＩ４は、ＳＲＩ０と関連付けられた電力制御パラメータに従ってＳＲＩ１で送信される送信電力を求めてもよく、ＳＲＩ１と関連付けられた電力制御パラメータに従ってＳＲＳ２で送信される電力制御パラメータを求めてもよい。
【０１０９】
方法３によると、送信の空間領域リソース情報によって示される各参照信号リソースグループの電力制御パラメータは、関連付けに従って求められ、送信の空間領域リソース情報によって示されるすべての参照信号リソースグループの電力制御パラメータを、送信に対応する電力制御パラメータと見なす。
【０１１０】
方法３では、参照信号リソースグループとサブ送信の送信電力との関連付けがある。
参照信号リソースグループとサブ送信の送信電力との関連付けとは、各サブ送信が異なる参照信号リソースグループに対応し、電力制御パラメータのグループと関連付けられていることである。
【０１１１】
方法３では、送信の空間領域リソース情報によって示される各参照信号リソースグループの電力制御パラメータは、以下の方法のうちのいずれか１つを採用することによって求められてもよい。
【０１１２】
１．送信の空間領域リソース情報の参照信号リソースグループの電力制御パラメータは、関連付けにおけるすべての第２の特定の空間領域リソース情報と関連付けられた電力制御パラメータに従って求められ、すべての第２の特定の空間領域リソース情報の各々は、参照信号リソースグループ内の１つの参照信号リソースを示す。
【０１１３】
この方法では、空間領域リソース情報によって示される参照信号リソースで送信される電力制御パラメータは、参照信号リソースが位置するグループの第２の特定の空間領域リソース情報と関連付けられた電力制御パラメータである。
【０１１４】
この方法では、すべての第２の特定の空間領域リソース情報と関連付けられた電力制御パラメータの結合セットを、送信の空間領域リソース情報の参照信号リソースグループの電力制御パラメータと見なしてもよい、または、電力制御パラメータのセットを、すべての第２の特定の空間領域リソース情報と関連付けられた電力制御パラメータに従って、送信の空間領域リソース情報の参照信号リソースグループの電力制御パラメータとして求める。
【０１１５】
２．関連付けにおける第３の特定の空間領域リソース情報と関連付けられた電力制御パラメータを、参照信号リソースグループの電力制御パラメータと見なし、第３の特定の空間領域リソース情報は、参照信号リソースグループ内のすべての参照信号リソースを示す。
【０１１６】
この方法では、空間領域リソース情報によって示される参照信号リソースで送信される電力制御パラメータは、この参照信号リソースが位置するグループの電力制御パラメータである。
【０１１７】
上述のＳＲＩ１４は例として挙げられ、ＳＲＳ１、ＳＲＳ２、ＳＲＳ３およびＳＲＳ４は異なるグループに対応してもよいことを示し、グループの数を２とすれば、グループ１はＳＲＳ１およびＳＲＳ２を含み、グループ２はＳＲＳ３およびＳＲＳ４を含み、これら２個のグループに対応する電力制御パラメータは、以下の方式のうちの１つを採用することによって求められる。
【０１１８】
方式１では、グループ１の電力制御パラメータは、ＳＲＳ１を示すＳＲＩ０の電力制御パラメータと、ＳＲＳ２を示すＳＲＩ１の電力制御パラメータとに従って取得され、グループ２の電力制御パラメータは、ＳＲＳ３を示すＳＲＩ２の電力制御パラメータと、ＳＲＳ４を示すＳＲＩ３の電力制御パラメータとに従って求められる。
【０１１９】
方式２では、グループ１の電力制御パラメータは、ＳＲＳ１とＳＲＳ２とを示すＳＲＩ４の電力制御パラメータに従って取得され、グループ２の電力制御パラメータは、ＳＲＳ３とＳＲＳ４とを示すＳＲＩ９の電力制御パラメータに従って求められる。
【０１２０】
方法３では、空間領域リソース情報に含まれる参照信号リソースは、以下の方法のうちのいずれか１つを採用することによってグループ分けされてもよい。
【０１２１】
１．空間領域リソース情報に含まれる参照信号リソースは、事前に定義されたグループのメンバーに従ってグループ分けされてもよい、すなわち、空間領域リソース情報によって示される参照信号リソースが属するグループが事前に定義される。
【０１２２】
たとえば、空間領域リソース情報が４つの参照信号リソース、すなわち、参照信号リソース１、参照信号リソース２、参照信号リソース３、および参照信号リソース４をそれぞれ示す場合、参照信号リソース１および参照信号リソース２は１つのグループにグループ分けされ、参照信号リソース３および参照信号リソース４は１つのグループにグループ分けされる。
【０１２３】
２．空間領域リソース情報に含まれる参照信号リソースは、事前に定義されたまたは構成されたグループの数に基づいて所定のルールに従って求められたグループのメンバーに従ってグループ分けされてもよい。
【０１２４】
所定のルールは、ＭおよびＮが正の整数であり、ＭがＮ以上である場合、Ｍ個のメンバーがＮ個のグループに分けられること、ＭをＮで割り切れる場合、各グループはＭ／Ｎ個のメンバーを含み、Ｍ個のメンバーはＮ個のグループに順番に分配されること、Ｍ＝４でＮ＝２の場合、最初の２個のＳＲＳリソースはグループ１であり、最後の２個のＳＲＳリソースはグループ２であること、ＭがＮによって割り切れない場合、ＭをＮで割ることによって得られる余りをＸとすると、第１のＸ個のグループに含まれるメンバーの数はＭ／Ｎを切り捨てたものに１を足したものであり、残りのグループに含まれるメンバーの数はＭ／Ｎを切り捨てたものであること、たとえば、Ｍ＝５でＮ＝２の場合、Ｍ／Ｎの切り捨てによって２の整数と１の余りとが生じ、グループ１は最初の３個のＳＲＳリソースを含み、グループ２は最後の２個のＳＲＳリソースを含むことを含む。
【０１２５】
３．空間領域リソース情報に含まれる参照信号リソースは、構成されたグループのメンバーに従ってグループ分けされてもよい。
【０１２６】
第２の方法に従って、送信の電力制御パラメータは、特定のタイプ、送信の関連付け、および送信の空間領域リソース情報に従って求められる。
【０１２７】
特定のタイプは、サービスタイプまたはスケジューリングタイプを含む。
送信のサービスタイプは、ＵＲＬＬＣおよびｅＭＢＢなどである。
【０１２８】
送信のスケジューリングタイプは、明白にサービスタイプを示さず、そのような送信が、特別に優先される送信または出力増強を必要とする送信などの特別なスケジューリングであることを示す。
【０１２９】
具体的に、以下の方式のいずれか１つで実現可能である。
方式１では、送信の初期電力制御パラメータが関連付けと送信の空間領域リソース情報とに従って求められ、送信の最終的な電力制御パラメータは、初期電力制御パラメータと、送信の基本的な特定のタイプに対する送信の特別なタイプの事前に定義された電力制御パラメータオフセットとに従って求められる。
【０１３０】
この方法では、送信の初期電力制御パラメータは、上述の方法１〜方法３のいずれか１つを採用することによって求められてもよく、その説明はここでは繰り返さない。
【０１３１】
この方法では、送信の最終的な電力制御パラメータは、送信の初期電力制御パラメータと電力制御パラメータオフセットとの和である。
【０１３２】
方式２では、送信の初期電力制御パラメータは、関連付けと送信の空間領域リソース情報とに従って求められ、送信の電力制御パラメータの特定のタイプは、初期電力制御パラメータから選択される。
【０１３３】
この方法では、送信の初期電力制御パラメータは、上述の方法１〜方法３のいずれか１つを採用することによって求められてもよく、その説明はここでは繰り返さない。
【０１３４】
この方法では、初期電力制御パラメータの少なくとも１つのパラメータの数は、送信によってサポートされる特定のタイプの数であり、それぞれ異なる特定のタイプに対応する。
【０１３５】
ステップ１０２で、送信の送信電力を、送信の電力制御パラメータに従って求める。
本開示のある実施形態では、送信の送信電力は、少なくとも１つのサブ送信の送信電力を含む。
【０１３６】
たとえば、１つのＰＵＳＣＨ送信が２つのビーム方向に送信され、各ビーム方向に送信されるＰＵＳＣＨは、電力が独立して求められる、すなわち、ＰＵＳＣＨ送信は２個のサブ送信を有し、これらのサブ送信は、それぞれ独立したサブ送信の送信電力に対応する。
【０１３７】
別の例では、２個のアンテナポートを採用することによってＰＵＳＣＨ送信が送信され、各アンテナポートによって送信されるＰＵＳＣＨは、電力が独立して求められる、すなわち、ＰＵＳＣＨ送信は２個のサブ送信を有し、これらのサブ送信は、それぞれ独立したサブ送信の送信電力に対応する。
【０１３８】
本開示のある実施形態では、送信の送信電力は、送信の電力制御パラメータから直接求めることが可能である、すなわち、送信の送信電力は、送信がどのサービスタイプもしくはスケジューリングタイプに属するかにかかわらず同じ方式で求めることが可能である、または、送信のサービスタイプを区別する必要がある場合、まず、送信の初期送信電力が送信の電力制御パラメータに従って求められてもよく、その後、送信の最終的な送信電力が、送信の初期送信電力と、送信の基本的なサービスタイプに対する送信のサービスタイプの事前に定義された送信電力オフセットとに従って求められる、または、送信のスケジューリングタイプを区別する必要がある場合、まず、送信の初期送信電力が、送信の電力制御パラメータに従って求められてもよく、次に、送信の最終的な送信電力が、初期送信電力と、送信の基本的なスケジューリングタイプに対する送信のスケジューリングタイプの事前に定義された送信電力オフセットとに従って求められる。
【０１３９】
サービスタイプは、異なるＤＣＩフォーマット、異なる無線ネットワーク一時識別子（ＲＮＴＩ）、異なる制御リソースセット（ＣＯＲＥＳＥＴ）、異なる探索空間、ＤＣＩ内の異なるビット、異なる巡回冗長検査（ＣＲＣ）マスキング、異なるＣＲＣスクランブリングコード、異なる構成されたチャネル品質指標（ＣＱＩ）／変調・符号化方式（ＭＣＳ）テーブルまたは目標ブロック誤り率（ＢＬＥＲ）、異なる送信期間、または異なるフィードバック遅延のうちの少なくとも１つによって識別可能である。
【０１４０】
たとえば、異なるＲＮＴＩが異なるサービスを識別するために採用される場合、あるＲＮＴＩがＵＲＬＬＣサービスを識別し、他のＲＮＴＩがｅＭＢＢを識別する。または、特別なＲＮＴＩがＵＲＬＬＣサービスを識別するために用いられる。
【０１４１】
異なるサービスタイプおよび異なるスケジューリングタイプがＵＲＬＬＣサービスを区別するために用いられ、これは、低遅延および高信頼性について同様の必要条件を有するサービスタイプに当てはまる。
【０１４２】
送信電力オフセットを事前に定義可能である。たとえば、拡張モバイルブロードバンド（ｅＭＢＢ）が基本のサービスタイプであり超高信頼低遅延通信（ＵＲＬＬＣ）が基本でないサービスタイプの場合、ｅＭＢＢサービスに対するＵＲＬＬＣサービスの送信電力オフセットが事前に定義される。
【０１４３】
または、送信電力オフセットを、表示によって（たとえば、物理層制御シグナリングまたは上位層シグナリング命令を介して）取得可能である。
【０１４４】
初期送信電力と送信電力オフセットとの和を、送信の最終的な送信電力と見なす。
送信の送信電力または初期送信電力が送信に対応する電力制御パラメータに従って求められるときに、送信に対応する電力制御パラメータがステップ１０１で方法１を採用する（つまり、関連付けにおいて送信の空間領域リソース情報と関連付けられた電力制御パラメータを、送信の電力制御パラメータと見なす）ことによって求められる場合、空間領域リソース情報によって示される参照信号リソースのうちの１つで送信される送信電力または初期送信電力は、参照信号リソース、または空間領域リソース情報と関連付けられた電力制御パラメータに参照信号リソースが位置するグループに対応するパラメータに従って求められる。
【０１４５】
送信に対応する電力制御パラメータをステップ１０１で方法２を採用する（つまり、関連付けにおけるすべての第１の特定の空間領域リソース情報と関連付けられた電力制御パラメータを送信の電力制御パラメータと見なす）ことによって求める場合、送信電力または空間領域リソース情報によって示される参照信号リソースのうちの１つで送信される初期送信電力は、第１の特定の空間領域リソース情報と関連付けられた電力制御パラメータに従って求められる。
【０１４６】
上述のＳＲＩ４は例として挙げられ、ＳＲＳ１とＳＲＳ２とを示し、ＳＲＳ１はＳＲＩ０に対応し、ＳＲＳ２はＳＲＩ１に対応し、ＳＲＩ４は、ＳＲＩ０と関連付けられた電力制御パラメータに従ってＳＲＳ１で送信される送信電力を求め、ＳＲＩ１と関連付けられた電力制御パラメータに従ってＳＲＳ２で送信される送信電力を求めてもよい。
【０１４７】
送信に対応する電力制御パラメータをステップ１０１で方法３を採用する（つまり、空間領域リソース情報の各参照信号リソースグループの電力制御パラメータを関連付けに従って求め、空間領域リソース情報のすべての参照信号リソースグループの電力制御パラメータを送信の電力制御パラメータと見なす）ことによって求める場合、
空間領域リソース情報の各参照信号リソースグループの電力制御パラメータが関連付けにおけるすべての第２の特定の空間領域リソース情報と関連付けられた電力制御パラメータに従って求められる場合、送信電力、または空間領域リソース情報によって示される参照信号リソースで送信される初期送信電力は、第２の特定の空間領域リソース情報と関連付けられた電力制御パラメータに従って求められる。
【０１４８】
上述のＳＲＩ１４は例として挙げられ、ＳＲＳ１、ＳＲＳ２、ＳＲＳ３およびＳＲＳ４が異なるグループに対応してもよいことが示され、グループの数を２とすれば、グループ１はＳＲＳ１およびＳＲＳ２を含み、グループ２はＳＲＳ３およびＳＲＳ４を含み、グループ１の電力制御パラメータはＳＲＳ１を示すＳＲＩ０の電力制御パラメータおよびＳＲＳ２を示すＳＲＩ１の電力制御パラメータに従って取得され、グループ２の電力制御パラメータは、ＳＲＳ３を示すＳＲＩ２の電力制御パラメータおよびＳＲＳ４を示すＳＲＩ３の電力制御パラメータに従って取得される。
【０１４９】
関連付けにおける第３の特定の空間領域リソース情報と関連付けられた電力制御パラメータを参照信号リソースグループの電力制御パラメータと見なす場合、空間領域リソース情報によって示される参照信号リソースで送信される送信電力は、参照信号リソースが位置するグループの電力制御パラメータに従って求められる。
【０１５０】
上述のＳＲＩ１４は例として挙げられ、ＳＲＳ１、ＳＲＳ２、ＳＲＳ３およびＳＲＳ４が異なるグループに対応してもよいことを示し、グループの数を２とすれば、グループ１はＳＲＳ１およびＳＲＳ２を含み、グループ２はＳＲＳ３およびＳＲＳ４を含み、グループ１の電力制御パラメータはＳＲＳ１およびＳＲＳ２を示すＳＲＩ４の電力制御パラメータに従って取得され、グループ２の電力制御パラメータは、ＳＲＳ３およびＳＲＳ４を示すＳＲＩ９の電力制御パラメータに従って取得される。
【０１５１】
本開示のある実施形態によると、電力制御パラメータは１つの送信用に構成され、構成された電力制御パラメータの少なくとも１つのパラメータの数は、ビームシナリオまたはパネルシナリオまたはマルチＴＲＰシナリオをサポートするために１より大きい。
【０１５２】
本開示のある実施形態によると、電力制御はさらに精密であり、ビームまたはビームグループに従って電力制御を実行する自由度は改良される一方で、頑強性を向上できるようにＵＲＬＬＣが通常のサービスと比較してより高い電力を取得するように、複数のサービスシナリオがサポートされる。
【０１５３】
図２を参照すると、本開示の別の実施形態は電力制御方法を提案し、電力制御方法は以下を備える。
【０１５４】
ステップ２００で、空間領域リソース情報と電力制御パラメータとの関連付けを構成する。
【０１５５】
本開示のある実施形態では、空間領域リソース情報、電力制御パラメータ、および空間領域リソース情報と電力制御パラメータとの関連付けは上述の実施形態のものと同様であり、ここでは繰り返さない。
【０１５６】
ステップ２０１で、送信の空間領域リソース情報を構成するまたは示す。
本開示のある実施形態では、送信の空間領域リソース情報を構成するまたは示すステップは、上位層シグナリング、ダウンリンク制御情報、メディアアクセス制御（ＭＡＣ）シグナリング、または物理層制御シグナリング（すなわち、物理層シグナリング、物理層シグナリングはＰＤＣＣＨであり、これはダウンリンク制御情報（ＤＣＩ）、すなわち、物理層制御シグナリングを含む）のうちの少なくとも１つによって、送信の空間領域リソース情報を構成または示すことを含む。
【０１５７】
図３を参照すると、本開示の別の実施形態は電力制御方法を提案し、電力制御方は以下を含む。
【０１５８】
ステップ３００で、送信の空間領域リソース情報を受信する。
ステップ３０１で、送信の空間領域リソース情報と関連付けられた電力制御パラメータを、空間領域リソース情報と電力制御パラメータとの関連付けにおいて求める、ここで、求められた電力制御パラメータのうちの少なくとも１つのパラメータの数は１より大きい。
【０１５９】
本開示のある実施形態では、求められた電力制御パラメータのパラメータの数が１より大きいことは、求められた電力制御パラメータの少なくとも１つのパラメータの望ましい値の数が１より大きいことを意味する。
【０１６０】
本開示のある実施形態では、求められた電力制御パラメータのパラメータの数が１より大きい場合、パラメータの異なる値は異なる特定のタイプに対応し、異なる特定のタイプはパラメータの同じ値を共有してもよい。
【０１６１】
本開示のある実施形態では、空間領域リソース情報と関連付けられた電力制御パラメータのいずれか１つのパラメータの数は１〜Ｘのいずれか１つであり、Ｘは送信によってサポートされる特定のタイプの数である。
【０１６２】
空間領域リソース情報と関連付けられた電力制御パラメータのパラメータの数が１の場合、送信によってサポートされるすべての特定のタイプはこのパラメータを共有する。
【０１６３】
空間領域リソース情報と関連付けられた電力制御パラメータのパラメータの数がＸの場合、送信によってサポートされる各特定のタイプは、Ｘ個のパラメータのうちの１つに対応する。
【０１６４】
空間領域リソース情報と関連付けられた電力制御パラメータのパラメータの数がＮであり、Ｎは１より大きくＸより小さい整数である場合、送信によってサポートされるすべての特定のタイプはＮ個のグループに分類され、各グループは１つのパラメータに対応し、各グループ内の特定のタイプは、グループに対応するこのパラメータを共有する。
【０１６５】
ステップ３０２で、送信の特定のタイプに対応する電力制御パラメータを、求められた電力制御パラメータに従って求める、ここで、特定のタイプは、サービスタイプまたはスケジューリングタイプを含む。
【０１６６】
本開示のある実施形態では、送信のサービスタイプに対応する電力制御パラメータを検索された電力制御パラメータに従って求めるステップは、送信のサービスタイプに対応する電力制御パラメータを、検索された電力制御パラメータから選択すること、または、検索された電力制御パラメータと、送信の基本的なサービスタイプに対する送信のサービスタイプの事前に定義された電力制御パラメータオフセットとに従って、送信のサービスタイプに対応する電力制御パラメータを求める、すなわち、送信のサービスタイプに対応する電力制御パラメータは検索された電力制御パラメータと電力制御パラメータオフセットとの和であることのうちのいずれか１つを含む。
【０１６７】
本開示の実施形態の特定の実現プロセスは、上述の実施形態のものと同様であり、ここでは繰り返さない。
【０１６８】
図４を参照すると、本開示の別の実施形態は電力制御方法を提案し、電力制御方法は以下を備える。
【０１６９】
ステップ４００で、送信の空間領域リソース情報を受信する。
ステップ４０１で、送信の電力制御パラメータを、送信の空間領域リソース情報と、空間領域リソース情報と電力制御パラメータとの関連付けとに従って求める。
【０１７０】
ステップ４０２で、送信の初期送信電力を送信の電力制御パラメータに従って求め、かつ、送信の最終的な送信電力を、初期送信電力と、送信の基本的な特定のタイプに対する送信の特定のタイプの事前に定義された送信電力オフセットとに従って求める、ここで、特定のタイプは、サービスタイプまたはスケジューリングタイプを含む。
【０１７１】
本開示のある実施形態では、送信の最終的な送信電力は、初期送信電力と送信電力オフセットとの和である。
【０１７２】
本開示の実施形態の具体的な実現プロセスは、上述の実施形態のものと同様であり、ここでは繰り返さない。
【０１７３】
本開示の実施形態の電力制御方法は、具体例によって以下で例示され、引用される例は、本開示の実施形態の保護の範囲を限定するために用いられるものではない。たとえば、基地局およびＵＥを例として以下のように例示されるが、任意の２個の通信ノード間で実現される電力制御方法は本開示の実施形態の保護の範囲内である。
【０１７４】
図５は、基地局とＵＥとの間のビーム関係の模式図である。図５に示すように、ｇＮＢは基地局であり、ＵＥはユーザ端末である。基地局は２個のＴＲＰを含み、各ＴＰＲは複数のパネルを含み、各パネルはビームフォーミングによって異なるビームを構成し得る。図５のビームは、送信ビームまたは受信ビームでもよい。基地局は、複数のビームを用いることによってアップリンク送信を送信するようにＵＥをスケジュールし得る。たとえば、基地局は、ビームＡとビームＣとの両方を用いることによってアップリンク送信を送信するようにＵＥをスケジュールする一方で、基地局は、同じビーム、たとえばビーム２を用いて、ＵＥのビームＡおよびビームＣによって送信されるアップリンク送信を受信する、または、基地局はビーム２を採用することによって、ＵＥのビームＡによって送信されるアップリンク送信を受信し、ビーム１２を採用することによって、ＵＥのビームＣによって送信されるアップリンク送信を受信する、または、基地局は、ビーム２を採用することによって、ＵＥのビームＡによって送信されるアップリンク送信を受信し、ＴＲＰ２のビーム２’を採用することによって、ＵＥのビームＣによって送信されるアップリンク送信を受信する。
【０１７５】
例１
図６を参照すると、電力制御方法は以下のステップを備える。
【０１７６】
ステップ６００で、基地局が、アップリンク送信を送るようにＵＥをスケジュールし、ＵＥは、ビームリソースを含むアップリンク送信を送るために用いられるリソースを通知されなければならない。
【０１７７】
このステップで、ビームリソースは参照信号リソースによって示される。たとえば、基地局は、ＰＵＳＣＨを送信するようにＵＥをスケジュールし、ＤＣＩはＳＲＩ情報を含み、ＰＵＳＣＨはその後、ＳＲＩ情報によって示されるＳＲＳリソースに従って送信方式を判断する、ここで、送信方式は、ＰＵＳＣＨの送信電力がＳＲＳリソースに従って判断されることを含む。
【０１７８】
ステップ６０１で、基地局が、ＵＥ用にアップリンク送信の電力制御パラメータを構成する、ここで、電力制御パラメータは、少なくとも１個の開ループ電力制御パラメータ、少なくとも１個のパスロス測定パラメータ、または少なくとも１個の閉ループ電力制御パラメータのうちの少なくとも１つを含む。
【０１７９】
ステップ６０２で、基地局が、ＤＣＩに示された（少なくとも１つのＳＲＩ情報を含む）ＳＲＩセット内の各ＳＲＩ情報とＵＥ用の上述の電力制御パラメータとの関連付けを構成する。
【０１８０】
このステップで、ＳＲＩ情報が複数のＳＲＳリソースを示す場合、ＳＲＩ情報と関連付けられた電力制御パラメータの少なくとも１つのパラメータの数は１より大きい。
【０１８１】
ＳＲＩ情報によって示されるＳＲＳリソースの数がＭの場合、ＳＲＩ情報と関連付けられた電力制御パラメータの数は１〜Ｍであり、Ｍは整数である。
【０１８２】
電力制御パラメータのパラメータの数が１の場合、ＳＲＩ情報によって示されるすべてのＳＲＳリソースは、この電力制御パラメータを共有する。
【０１８３】
電力制御パラメータのパラメータの数がＭの場合、ＳＲＩ情報によって示される各ＳＲＳリソースは、Ｍ個の電力制御パラメータのうちの１つに対応する。
【０１８４】
電力制御パラメータのパラメータの数がＮであり、Ｎが１より大きくＭより小さい整数である場合、ＳＲＩ情報によって示されるＳＲＳリソースは、Ｎ個の電力制御パラメータにそれぞれ対応するＮ個のグループに分類される。
【０１８５】
たとえば、基地局は、ＵＥの非コードブックベース送信である送信モード用にＳＲＳリソースセットを構成し、ＳＲＳリソースセットは４つのＳＲＳリソース、すなわち、ＳＲＳ１〜ＳＲＳ４を含む。用いられたＳＲＳリソースを示すためにＳＲＩ情報がＤＣＩで用いられる場合、以下のように最大で１５個の組合わせがある。
ＳＲＩ０:  ＳＲＳ１
ＳＲＩ１:  ＳＲＳ２
ＳＲＩ２:  ＳＲＳ３
ＳＲＩ３:  ＳＲＳ４
ＳＲＩ４:  ＳＲＳ１  ＳＲＳ２
ＳＲＩ５:  ＳＲＳ１  ＳＲＳ３
ＳＲＩ６:  ＳＲＳ１  ＳＲＳ４
ＳＲＩ７:  ＳＲＳ２  ＳＲＳ３
ＳＲＩ８:  ＳＲＳ２  ＳＲＳ４
ＳＲＩ９:  ＳＲＳ３  ＳＲＳ４
ＳＲＩ１０:  ＳＲＳ１  ＳＲＳ２  ＳＲＳ３
ＳＲＩ１１:  ＳＲＳ１  ＳＲＳ２  ＳＲＳ４
ＳＲＩ１２:  ＳＲＳ１  ＳＲＳ３  ＳＲＳ４
ＳＲＩ１３:  ＳＲＳ２  ＳＲＳ３  ＳＲＳ４
ＳＲＩ１４:  ＳＲＳ１  ＳＲＳ２  ＳＲＳ３  ＳＲＳ４
上述のＳＲＩ４は例として挙げられ、ＳＲＩ４と関連付けられた電力制御パラメータは、２個の開ループ電力制御パラメータ、２個の閉ループ電力制御パラメータおよび２個のパスロス測定パラメータを含んでもよく、電力制御パラメータの２個のセットは、それぞれＳＲＩ４内の２個のＳＲＳ、すなわち、ＳＲＳ１およびＳＲＳ２に対応し、ここで、電力制御パラメータの１個のセットは、１個の開ループ電力制御パラメータ、１個の閉ループ電力制御パラメータおよび１個のパスロス測定パラメータを含む。
【０１８６】
上述のＳＲＩ４は例として挙げられ、ＳＲＩ４と関連付けられた電力制御パラメータはさらに、２個の開ループ電力制御パラメータ、２個の閉ループ電力制御パラメータおよび１個のパスロス測定パラメータを含み得る。１個のパスロス測定パラメータだけがある場合、このパスロス測定パラメータは、ＳＲＳ１とＳＲＳ２との間で共有され、開ループ電力制御パラメータの数と閉ループ電力制御パラメータの数とがどちらも２の場合、これら２個の開ループ電力制御パラメータはそれぞれＳＲＳ１に対応し、これら２個の閉ループ電力制御パラメータはそれぞれＳＲＳ２に対応する。
【０１８７】
上述のＳＲＩ１０は例として挙げられ、ＳＲＩ１０と関連付けられた電力制御パラメータは、１個の開ループ電力制御パラメータ、１個の閉ループ電力制御パラメータおよび１個のパスロス測定パラメータを含んでもよく、ＳＲＳ１、ＳＲＳ２およびＳＲＳ３はこれらの電力制御パラメータを共有する。
【０１８８】
上述のＳＲＩ１０は例として挙げられ、ＳＲＩ１０と関連付けられた電力制御パラメータはさらに、３個の開ループ電力制御パラメータ、３個の閉ループ電力制御パラメータおよび３個のパスロス測定パラメータを含み、ＳＲＳ１、ＳＲＳ２およびＳＲＳ３は、それぞれその内部の電力制御パラメータの１個のセットを用いる、ここで、電力制御パラメータの１個のセットは、１個の開ループ電力制御パラメータ、１個の閉ループ電力制御パラメータおよび１個のパスロス測定パラメータを含む。
【０１８９】
上述のＳＲＩ１０は例として挙げられ、ＳＲＩ１０と関連付けられた電力制御パラメータはさらに、３個の開ループ電力制御パラメータ、１個の閉ループ電力制御パラメータおよび３個のパスロス測定パラメータを含んでもよく、ＳＲＳ１、ＳＲＳ２およびＳＲＳ３は、１個の閉ループ電力制御パラメータを共有し、ＳＲＳ１、ＳＲＳ２およびＳＲＳ３は、それぞれ上述の３個の開ループ電力制御パラメータのうちの１つを用い、ＳＲＳ１、ＳＲＳ２およびＳＲＳ３は、それぞれ上述の３個のパスロス測定パラメータのうちの１つを用いる。
【０１９０】
上述のＳＲＩ１０は例として挙げられ、ＳＲＩ１０と関連付けられた電力制御パラメータはさらに、２個の開ループ電力制御パラメータ、２個の閉ループ電力制御パラメータおよび２個のパスロス測定パラメータを含んでもよく、ＳＲＳ１、ＳＲＳ２およびＳＲＳ３は、２個のグループに分けられ、各グループは、電力制御パラメータの上述の２個のセットのうち１個のセットを用い、電力制御パラメータの１個のセットは、１個の開ループ電力制御パラメータ、１個の閉ループ電力制御パラメータおよび１個のパスロス測定パラメータを含む。
【０１９１】
上述のＳＲＩ１４は例として挙げられ、ＳＲＩ１４と関連付けられた電力制御パラメータは、２個の開ループ電力制御パラメータ、２個の閉ループ電力制御パラメータおよび１個のパスロス測定パラメータを含んでもよく、ＳＲＳ１、ＳＲＳ２、ＳＲＳ３およびＳＲＳ４は２個のグループに分類され、各グループは、それぞれ２個の開ループ電力制御パラメータのうちの１つを用い、各グループは２個の閉ループ電力制御パラメータのうちの１つを用い、すべてのＳＲＳはそれぞれ１個のパスロス測定パラメータを共有する。
【０１９２】
ステップ６０３で、ＵＥが、ＤＣＩ内に含まれるＳＲＩ情報と関連付けとに従って送信の電力パラメータを求める、ここで、送信の電力パラメータのうちの少なくとも１つのパラメータの数は１より大きい。
【０１９３】
このステップで、送信の電力制御パラメータは、以下の方法のうちのいずれか１つを採用することによって求められてもよい。
【０１９４】
方法１によると、関連付けにおいて送信のＳＲＩ情報と関連付けられた電力制御パラメータを、送信の電力制御パラメータと見なす。
【０１９５】
方法２によると、関連付けにおいてすべての第１の特定のＳＲＩ情報と関連付けられた電力制御パラメータを、送信の電力制御パラメータと見なし、すべての第１の特定のＳＲＩ情報の各々は、空間領域リソース情報によって示される参照信号リソースのうちの１つを示す。
【０１９６】
上述のＳＲＩ４は例として挙げられ、ＳＲＩ１およびＳＲＩ２を示し、ＳＲＩ１がＳＲＩ０に対応しＳＲＩ２がＳＲＩ１に対応する場合、ＳＲＩ４は、ＳＲＩ０と関連付けられた電力制御パラメータに従ってＳＲＩ１で送信される送信電力を求めてもよく、ＳＲＩ１と関連付けられた電力制御パラメータに従ってＳＲＳ２で送信される電力制御パラメータを求めてもよい。
【０１９７】
方法３によると、ＳＲＩ情報の各参照信号リソースグループの電力制御パラメータを関連付けに従って求め、ＳＲＩ情報のすべての参照信号リソースグループの電力制御パラメータを送信の電力制御パラメータと見なす。
【０１９８】
方法３で、ＳＲＩ情報の各参照信号リソースグループの電力制御パラメータを、以下の方法のうちのいずれか１つを採用することによって求めてもよい。
【０１９９】
１．ＳＲＩ情報の各参照信号リソースグループの電力制御パラメータが、関連付けにおけるすべての第２の特定のＳＲＩ情報と関連付けられた電力制御パラメータに従って求められ、すべての第２の特定のＳＲＩ情報の各々は、参照信号リソースグループ内の１つの参照信号リソースを示す。
【０２００】
２．関連付けにおける第３のＳＲＩリソース情報と関連付けられた電力制御パラメータを、参照信号リソースグループの電力制御パラメータと見なし、第３の特定のＳＲＩ情報は、参照信号リソースグループ内のすべての参照信号リソースを示す。
【０２０１】
上述のＳＲＩ１４は例として挙げられ、ＳＲＳ１、ＳＲＳ２、ＳＲＳ３およびＳＲＳ４が異なるグループに対応し得ることを示し、グループの数を２とすれば、グループ１はＳＲＳ１とＳＲＳ２とを含み、グループ２はＳＲＳ３とＳＲＳ４とを含み、これら２個のグループに対応する電力制御パラメータが、以下の方式のうちの１つを採用することによって求められる。
【０２０２】
方式１で、グループ１の電力制御パラメータが、ＳＲＳ１を示すＳＲＩ０の電力制御パラメータとＳＲＳ２を示すＳＲＩ１の電力制御パラメータとに従って取得され、グループ２の電力制御パラメータが、ＳＲＳ３を示すＳＲＩ２の電力制御パラメータとＳＲＳ４を示すＳＲＩ３の電力制御パラメータとに従って取得される。
【０２０３】
方式２で、グループ１の電力制御パラメータが、ＳＲＳ１およびＳＲＳ２を示すＳＲＩ４の電力制御パラメータに従って取得され、グループ２の電力制御パラメータが、ＳＲＳ３およびＳＲＳ４を示すＳＲＩ９の電力制御パラメータに従って取得される。
【０２０４】
方法３で、ＵＥは、以下の方法のうちのいずれか１つを採用することによって、ＳＲＩ情報に含まれる参照信号リソースをグループ分けし得る。
【０２０５】
１．空間領域リソース情報に含まれる参照信号リソースは、事前に定義されたグループのメンバーに従ってグループ分けされてもよい、すなわち、ＳＲＳリソースセット内のＳＲＳリソースが属するグループが事前に定義される。
【０２０６】
たとえば、４つのＳＲＳリソース（ＳＲＳ１〜ＳＲＳ４）がＳＲＳリソースセットに含まれ、ＳＲＳ１およびＳＲＳ２がグループ１に属し、ＳＲＳ３およびＳＲＳ４がグループ２に属する場合、ＳＲＳ１およびＳＲＳ２を示すＳＲＩ４には１つのグループのみがある。
【０２０７】
２．空間領域リソース情報に含まれる参照信号リソースが、事前に定義されたまたは構成されたグループの数に基づいて所定のルールに従って求められたグループのメンバーに従ってグループ分けされてもよい。
【０２０８】
所定のルールは、ＭおよびＮが正の整数であり、ＭがＮ以上である場合、Ｍ個のメンバーがＮ個のグループに分けられること、ＭがＮで割り切れる場合、各グループはＭ／Ｎ個のメンバーを含み、Ｍ個のメンバーはＮ個のグループに順番に分配されること、Ｍ＝４でＮ＝２の場合、最初の２個のＳＲＳリソースはグループ１であり、最後の２個のＳＲＳリソースはグループ２であること、ＭがＮによって割り切れない場合、ＭをＮで割ることによって得られる余りがＸであるとすると、第１のＸ個のグループに含まれるメンバーの数はＭ／Ｎを切り捨てたものに含まれるメンバーの数に１を足したものであり、残りのグループに含まれるメンバーの数はＭ／Ｎを切り捨てたものである。たとえば、Ｍ＝５でＮ＝２の場合、Ｍ／Ｎの切り捨てによって２の整数と１の余りが生じ、グループ１は最初の３個のＳＲＳリソースを含み、グループ２は最後の２個のＳＲＳリソースを含む。
【０２０９】
たとえば、上述のＳＲＩ４〜ＳＲＩ９の各々は２個のＳＲＳリソースを示し、グループの数が２の場合、各グループは１つのＳＲＳリソースを含む。
【０２１０】
他の例では、上述のＳＲＩ１０〜ＳＲＩ１３の各々は３個のＳＲＳリソースを示し、グループの数が２の場合、最初の２個のＳＲＳリソースはグループ１に属し、次のＳＲＳリソースはグループ２に属する。
【０２１１】
他の例では、ＳＲＩ１４が４つのＳＲＳリソースを示し、グループの数が２の場合、最初の２個のＳＲＳはグループ１に属し、最後の２個のＳＲＳはグループ２に属する。
【０２１２】
他の例では、グループの数が１の場合、すべてのＳＲＩは１つのグループのみを有する。
【０２１３】
３．空間領域リソース情報に含まれる参照信号リソースは、基地局によって構成されるグループのメンバーに従ってグループ分けされてもよい。
【０２１４】
たとえば、グループ１はＳＲＳ１、ＳＲＳ２およびＳＲＳ３を含み、グループ２はＳＲＳ４を含む。ＳＲＳ１、ＳＲＳ２およびＳＲＳ３ならびにそれらの任意の組合せのみを含むＳＲＩは、電力制御パラメータの１個のセットのみを含み、ＳＲＳ１、ＳＲＳ２およびＳＲＳ３の任意の組合せならびにＳＲＳ４のみを含むＳＲＩは、電力制御パラメータの２個のセットに対応する。
【０２１５】
ステップ６０４で、送信の送信電力が送信の電力制御パラメータに従って求められる。
例２
アップリンク送信は、物理層ダウンリンク制御情報（ＤＣＩ）に含まれるアップリンク許可情報（ＵＬ許可）によって動的にスケジュールされてもよく、準静的にスケジュールされてもよい。前者は動的許可ベース送信と呼ばれ、後者は非動的許可ベース送信と呼ばれ、構成された許可送信とも呼ばれる。構成された許可送信は以下の２個のタイプに分類される。タイプ１の送信の場合、すべての許可情報は上位層シグナリングによって構成され、タイプ２の送信の場合、上位層シグナリングは許可情報の一部を構成し、許可情報の他の部分は、少なくとも１つの送信について有効な物理層制御シグナリングを介して送信される。
【０２１６】
関連技術では、動的許可ベース送信はマルチビームシナリオをサポートするが、マルチビームシナリオ内の構成された許可送信のアプリケーションをサポートしない。２つの送信方式で用いられるビームセットは基本的に同じであるため、これら２つの送信方式は、電力制御パラメータの構成の側面において互換性を有する。
【０２１７】
構成された許可送信の電力制御パラメータは、以下の方法のうちのいずれか１つを採用することによって求めてもよい。
【０２１８】
タイプ１の送信の場合、タイプ１の送信の電力制御パラメータは、以下の方法のうちのいずれか１つを採用することによって求めてもよい。
【０２１９】
方法１によると、現在構成されている空間リソースに関連する空間領域リソース情報と電力制御パラメータとが上位層シグナリングによって構成され、空間領域リソース情報が上位層シグナリングにおいてアップデートされる場合、現在の電力制御パラメータもアップデートする必要がある。
【０２２０】
空間領域リソース情報は、たとえばＳＲＩ情報または空間関係である。
たとえば、瞬間ｔ１におけるタイプ１の送信の送信方式はＳＲＩ_１を表し、上位層シグナリングは、ＳＲＩ_１を構成し、対応する電力制御パラメータを構成する。瞬間ｔ２におけるタイプ１の送信の送信方式は、アップデートされてＳＲＩ_２を表し、上位層シグナリングはＳＲＩ_２を構成し、電力制御パラメータをアップデートする。
【０２２１】
方法２によると、空間領域リソース情報は上位層シグナリングによって構成され、上位層シグナリングは少なくとも１つの空間領域リソース情報と電力制御パラメータとの関連付けを構成し、それぞれの電力制御パラメータが、空間領域リソース情報を介して取得され得る。それぞれの電力制御パラメータを取得し得るように、上位層シグナリングは空間領域リソース情報を構成する。空間領域リソース情報が上位層シグナリングにおいてアップデートされる場合、新しい電力制御パラメータが新しい空間領域リソース情報に従って取得される。
【０２２２】
空間領域リソース情報は、たとえばＳＲＩ情報または空間関係である。
たとえば、上位層シグナリングは、タイプ１の送信用に２個のビーム関連情報と電力制御パラメータとの関連付けを構成し、ＳＲＩ_１は電力制御パラメータの第１のセットと関連付けられ、ＳＲＩ_２は電力制御パラメータの第２のセットと関連付けられる。瞬間ｔ１において、送信方式はＳＲＩ_１を表し、ＳＲＩ_１は、送信側が電力制御パラメータの対応する第１のセットを取得できるように、上位層シグナリングによって構成される。瞬間ｔ２において、送信方式はアップデートされてＳＲＩ_２を表し、上位層シグナリングはＳＲＩ_２を構成し、送信側は電力制御パラメータの対応する第２のセットを取得し得る。
【０２２３】
方法３によると、上位層シグナリングは、少なくとも１つの空間領域リソース情報と電力制御パラメータとの関連付けを構成し、空間領域リソース情報はＭＡＣシグナリングによって示され、それぞれの電力制御パラメータは空間領域リソース情報によって取得され得る。
【０２２４】
上述のＭＡＣシグナリングは、準静的ＰＵＳＣＨの空間領域リソース情報、またはＰＵＣＣＨの空間領域リソース情報のうちの１つを含む。
【０２２５】
空間領域リソース情報は、少なくともＳＲＩ情報または空間関係のうちの１つを含む。
たとえば、上位層シグナリングは、タイプ１の送信用に２個の空間領域リソース情報と電力制御パラメータとの関連付けを構成し、ＳＲＩ_１は電力制御パラメータの第１のセットと関連付けられ、ＳＲＩ_２は電力制御パラメータの第２のセットと関連付けられる。
【０２２６】
ＭＡＣシグナリングが準静的ＰＵＳＣＨの空間領域リソース情報を含む場合、瞬間ｔ１における空間領域リソース情報はＳＲＩ_１であり、ＭＡＣ層シグナリングはタイプ１の送信用にＳＲＩ_１を構成し、送信側は、電力制御パラメータの対応する第１のセットを取得し得る。瞬間ｔ２において、空間領域リソース情報は、アップデートされてＳＲＩ_２を表し、ＭＡＣ層シグナリングはタイプ１の送信用にＳＲＩ_２を構成し、送信側は電力制御パラメータの対応する第２のセットを取得し得る。
【０２２７】
ＭＡＣシグナリングがＰＵＣＣＨの空間領域リソース情報を含む場合、準静的ＰＵＳＣＨは、ＳＲＩ情報、空間関係など、ビームと関連付けられた空間領域リソース情報を少なくとも含むＰＵＣＣＨの空間領域リソース情報を再利用し得る。このとき、上位層シグナリングは、タイプ１の送信用に少なくとも１つの空間領域リソース情報と電力制御パラメータとの関連付けを構成する、ここで、空間領域リソース情報はＰＵＣＣＨの空間領域リソース情報である。
【０２２８】
タイプ２の送信の場合、タイプ１の送信の電力制御パラメータを、以下の方法のいずれか１つを採用することによって求めてもよい。
【０２２９】
方法１によると、空間領域リソース情報と現在構成されている空間領域リソースに関連する電力制御パラメータとの両方が上位層シグナリングによって構成され、空間領域リソース情報が上位層シグナリングでアップデートされると、現在の電力制御パラメータもアップデートされる。
【０２３０】
方法２によると、空間領域リソース情報は上位層シグナリングによって構成され、上位層シグナリングは、少なくとも１つの空間領域リソース情報と電力制御パラメータとの関連付けを構成し、それぞれの電力制御パラメータは空間領域リソース情報を介して取得され得る。上位層シグナリングは、それぞれの電力制御パラメータが取得されるように空間領域リソース情報を構成する。空間領域リソース情報が上位層シグナリングでアップデートされる場合、新しい電力制御パラメータが新しい空間領域リソース情報に従って取得される。
【０２３１】
空間領域リソース情報は、たとえばＳＲＩ情報または空間関係である。
方法３によると、上位層シグナリングは少なくとも１つの空間領域リソース情報と電力制御パラメータとの関連付けを構成し、空間領域リソース情報はＭＡＣシグナリングによって示され、それぞれの電力制御パラメータが空間領域リソース情報によって取得されてもよい。
【０２３２】
上述のＭＡＣシグナリングは、準静的ＰＵＳＣＨの空間領域リソース情報またはＰＵＣＣＨの空間領域リソース情報のうちの１つを含む。
【０２３３】
空間領域リソース情報は少なくとも、ＳＲＩ情報または空間関係のうちの１つを含む。
方法４によると、上位層シグナリングは、少なくとも１つの空間領域リソース情報と電力制御パラメータとの関連付けを構成し、空間領域リソース情報は物理層制御シグナリングによって示され、それぞれの電力制御パラメータを、空間領域リソース情報を介して取得し得る。
【０２３４】
上述の物理層制御シグナリングは、ＰＵＳＣＨ用の許可情報のＤＣＩ、または準静的にスケジュールされたＰＵＳＣＨ用の許可情報のＤＣＩのうちの少なくとも１つを含む。
【０２３５】
タイプ１の送信とタイプ２の送信との場合、複数の空間領域リソース情報と電力制御パラメータとの関連付けは、許可ベース送信用のハイレベルシグナリングの一部またはすべてによって構成される空間領域リソース情報と電力制御パラメータとの関連付けにおいて再利用されてもよい。
【０２３６】
例３
アップリンク送信は、異なるサービスタイプをサポートしてもよく、少なくとも、拡張モバイルブロードバンド（ｅＭＢＢ）と超高信頼低遅延通信（ＵＲＬＬＣ）とをサポートしてもよい。ＵＲＬＬＣは、非常事態低遅延サービスであり、サービス品質について高い要求を有するため、比較的高い送信電力が必要になる。
【０２３７】
関連技術では現在、異なる空間領域リソース情報は異なる電力制御パラメータに対応してもよく、異なるスケジューリング方式も異なる電力制御パラメータに対応してもよいが、電力についての異なるサービスタイプの異なる要求を区別することはできない。
【０２３８】
この例は、異なるサービスタイプについての送信電力の差をサポートするための以下の方式のうちの１つを提案する。
【０２３９】
方式１：（ｅＭＢＢと比較したＵＲＬＬＣの電力増強の量）
送信の基本的なサービスタイプに対する送信のサービスタイプの送信電力オフセットが事前に定義される。
【０２４０】
たとえば、ｅＭＢＢサービスに対するＵＲＬＬＣサービスの送信電力オフセットが事前に定義される。現時点で、ｅＭＢＢサービスは基本的なサービスタイプであり、ＵＲＬＬＣは基本的でないサービスタイプである。送信のサービスタイプは１以上でもよい。送信のサービスタイプが１タイプ、すなわちＵＲＬＬＣであるとすれば、事前に定義された送信電力の相違は３ｄＢであり、特定のスケジューリング方式について、空間領域リソース情報が求められ、電力制御パラメータのセットが取得され、スケジューリングサービスタイプがｅＭＢＢである送信の送信電力が、許可情報と許可情報と関連付けられた電力制御パラメータとに従って取得される一方で、スケジューリングサービスタイプがＵＲＬＬＣの場合、許可情報と許可情報と関連付けられた電力制御パラメータとに従って取得された送信電力と上述の送信電力オフセット３ｄＢとの合計が、アップリンク送信の送信電力でなければならない。
【０２４１】
異なる送信電力オフセットが事前に定義され、それぞれ異なるサービスタイプに対応する。
【０２４２】
たとえば、ｅＭＢＢおよびＵＲＬＬＣサービスのみがサポートされる場合、２個の送信電力オフセット値が定義され、２個のサービスにそれぞれ対応する。たとえば、ｅＭＢＢ、ＵＲＬＬＣ、および大規模マシンタイプ通信（ｍＭＴＣ）がサポートされる場合、３個の送信電力オフセット値が定義され、３個のサービスにそれぞれ対応する。
【０２４３】
本明細書で説明する送信電力オフセットは、送信電力スペクトル密度の差を表してもよい。
【０２４４】
上述の事前に定義された方式は、基地局が上位層シグナリングによって構成されるということでもよい。すなわち、基地局は、ＵＥ用の基本的なサービスタイプに対する第１のサービスタイプの送信電力オフセットを構成し、または、基地局は、ＵＥ用に異なる送信電力オフセットを構成し、異なる送信電力オフセットは、異なるサービスタイプの間で送信電力に差があるように、異なるサービスタイプにそれぞれ対応する。
【０２４５】
上述の事前に定義された方式は、基地局が物理層シグナリングまたは上位層シグナリングによって示されるということでもよい。すなわち、基地局は、現在のサービスタイプの送信電力と基本的なサービスタイプの送信電力との間に差を実現できるように、物理層シグナリングを介したＵＥ用の基本的なサービスタイプに対する、現在スケジュールされている送信の送信電力オフセットを示す。
【０２４６】
送信電力オフセットの調整は、ＤＣＩなど、物理層シグナリングにおける許可情報によって示されるアップリンク送信のみを目的とする。許可ベース送信の場合、１つのＤＣＩは１つのＰＵＳＣＨ送信をスケジュールし、タイプ２の構成された許可送信の場合、１つのＤＣＩは少なくとも１つのＰＵＳＣＨ送信をスケジュールする。
【０２４７】
上述の物理層シグナリングまたは上位層シグナリングを介して事前に定義されたまたは構成された送信電力オフセットは、ＵＥのすべての空間領域リソース情報用に用いられてもよく、空間領域リソース情報グループに適用されてもよい、すなわち、送信電力オフセットは空間領域リソース情報グループ用の上位層シグナリングを介して事前に定義または構成されてもよい。空間領域リソース情報グループは明白に構成される、または、グループはＳＲＳリソースもしくはＳＲＳリソースセットの構成情報に従って求められる。
【０２４８】
方式２：
空間領域リソース情報で構成されたアップリンク送信の場合、少なくとも１つの空間領域リソース情報と電力制御パラメータとの関連付けがハイレベルシグナリングを介して構成され、それぞれの電力制御パラメータが、空間領域リソース情報を介して取得され得る。１つの空間領域リソース情報と関連付けられた電力制御パラメータの開ループ電力制御パラメータの数は１より大きく、開ループ電力制御パラメータは、それぞれ異なる送信サービスタイプをサポートするために用いられる。
【０２４９】
開ループ電力制御パラメータは、目標受信電力またはパスロス係数のうちの少なくとも１つを含む。
【０２５０】
たとえば、送信用にサポートされる２個のサービスタイプ、すなわち、ｅＭＢＢとＵＲＬＬＣとがそれぞれある場合、各空間領域リソース情報は、それぞれｅＭＢＢとＵＲＬＬＣとに対応する２個の開ループ電力制御パラメータと関連付けられる。ｅＭＢＢとＵＲＬＬＣとは、他の電力制御パラメータでは区別されない。
【０２５１】
または、送信用にサポートされる２個のサービスタイプ、すなわち、ｅＭＢＢとＵＲＬＬＣとがそれぞれある場合、各空間領域リソース情報は、開ループ電力制御パラメータ内の２個の目標受信電力と関連付けられ、２個の目標受信電力は、それぞれｅＭＢＢとＵＲＬＬＣとに対応する。ｅＭＢＢとＵＲＬＬＣとは、他の電力制御パラメータでは区別されない。
【０２５２】
空間領域リソース情報で構成されないアップリンク送信の場合、電力制御パラメータがハイレベルシグナリングを介して直接構成される。電力制御パラメータに含まれる開ループ電力制御パラメータの数は１より大きく、開ループ電力制御パラメータは、それぞれ異なるサービスタイプの送信をサポートするために用いられる。サービスタイプは他の電力制御パラメータでは区別されない。
【０２５３】
方式３：
空間領域リソース情報で構成されるアップリンク送信の場合、少なくとも１つの空間領域リソース情報と電力制御パラメータとの関連付けがハイレベルシグナリングを介して構成され、それぞれの電力制御パラメータが、空間領域リソース情報を介して取得され得る。１つの空間領域リソース情報と関連付けられた電力制御パラメータ内の閉ループ電力制御パラメータの数は１より大きく、閉ループ電力制御パラメータは、それぞれ異なるサービスタイプの送信をサポートするために用いられる。サービスタイプは他の電力制御パラメータでは区別されない。
【０２５４】
閉ループ電力制御パラメータは、閉ループ電力制御プロセス識別子セットまたは閉ループ電力制御プロセスの数のうちの少なくとも１つを含む。
【０２５５】
たとえば、送信用にサポートされる２個のサービスタイプ、すなわち、ｅＭＢＢとＵＲＬＬＣとがそれぞれある場合、各空間領域リソース情報は、それぞれｅＭＢＢとＵＲＬＬＣとに対応する２個の閉ループ電力制御パラメータと関連付けられる。たとえば、ｅＭＢＢは閉ループ電力制御プロセス１に対応し、ＵＲＬＬＣは閉ループ電力制御プロセス２に対応する。ｅＭＢＢとＵＲＬＬＣとは、他の電力制御パラメータでは区別されない。
【０２５６】
空間領域リソース情報で構成されないアップリンク送信の場合、電力制御パラメータはハイレベルシグナリングを介して直接構成される。電力制御パラメータに含まれる閉ループ電力制御パラメータの数は１より大きく、閉ループ電力制御パラメータは、それぞれ異なるサービスタイプの送信をサポートするために用いられる。サービスタイプは、他の電力制御パラメータでは区別されない。
【０２５７】
方式４：
空間領域リソース情報で構成されるアップリンク送信の場合、少なくとも１つの空間領域リソース情報と電力制御パラメータとの関連付けがハイレベルシグナリングを介して構成され、それぞれの電力制御パラメータが、空間領域リソース情報を介して取得され得る。１つの空間領域リソース情報と関連付けられた電力制御パラメータは、Ｎ個の開ループ電力制御パラメータとＮ個の閉ループ電力制御パラメータとを含み、これらは、それぞれ異なるサービスタイプの送信をサポートするために用いられる。サービスタイプは、他の電力制御パラメータでは区別されない。
【０２５８】
空間領域リソース情報で構成されないアップリンク送信の場合、電力制御パラメータはハイレベルシグナリングを介して直接構成される。構成された電力制御パラメータは、Ｎ個の開ループ電力制御パラメータとＮ個の閉ループ電力制御パラメータとを含み、これらは、それぞれ異なるサービスタイプの送信をサポートするために用いられる。サービスタイプは他の電力制御パラメータでは区別されない。
【０２５９】
方式５：
空間領域リソース情報で構成されるアップリンク送信の場合、少なくとも１つの空間領域リソース情報と電力制御パラメータとの関連付けがハイレベルシグナリングを介して構成され、それぞれの電力制御パラメータが、空間領域リソース情報を介して取得され得る。１つの空間領域リソース情報と関連付けられた電力制御パラメータは、Ｎ個の開ループ電力制御パラメータ、Ｎ個の閉ループ電力制御パラメータおよびＮ個のパスロス測定パラメータを含み、これらは、それぞれ異なるサービスタイプの送信をサポートするために用いられる。Ｎはサポートされるサービスタイプの数であり、Ｎは正の整数である。
【０２６０】
空間領域リソース情報で構成されないアップリンク送信の場合、電力制御パラメータがハイレベルシグナリングを介して直接構成される。電力制御パラメータは、Ｎ個の開ループ電力制御パラメータ、Ｎ個の閉ループ電力制御パラメータおよびＮ個のパスロス測定パラメータを含み、これらは、それぞれ異なるサービスタイプの送信をサポートするために用いられる。Ｎはサポートされるサービスタイプの数であり、Ｎは正の整数である。
【０２６１】
説明の便宜上、本開示の実施形態は、基地局とユーザ装置（ＵＥ）とを採用することによって説明されるが、本開示の実施形態に限定されるわけではない。ある実現例では、基地局とＵＥとは、ＮｏｄｅＢ（ＮＢ）、ｇＮＢ、ＴＲＰ、アクセスポイント（ＡＰ）、局、ユーザ、ＳＴＡ、リレー、端末といったさまざまな通信ノードの名前で置き換えられてもよい。また、基地局は、ネットワーク、ユニバーサル地上無線アクセス（ＵＴＲＡ）、進化型ユニバーサル地上無線アクセスなどを表してもよい。
【０２６２】
図７を参照すると、本開示の別の実施形態は電力制御装置を提供する。電力制御装置は、第１の受信モジュール７０１と、第１の判定モジュール７０２と第２の判定モジュール７０３とを備える。第１の受信モジュール７０１は、送信の空間領域リソース情報を受信するように構成される。第１の判定モジュール７０２は、送信の空間領域リソース情報と、空間領域リソース情報と電力制御パラメータとの関連付けとに従って、送信の電力制御パラメータを求めるように構成され、送信の電力制御パラメータの少なくとも１つのパラメータの数は１より大きい。第２の判定モジュール７０３は、送信の電力制御パラメータに従って送信の送信電力を求めるように構成される。
【０２６３】
本開示のある実施形態では、電力制御パラメータは、開ループ電力制御パラメータ、閉ループ電力制御パラメータ、またはパスロス測定パラメータのうちの少なくとも１つを含む。
【０２６４】
本開示のある実施形態では、開ループ電力制御パラメータは、目標受信電力またはパスロス係数のうちの少なくとも１つを含む。パスロス測定パラメータは、パスロス測定用の参照信号リソースタイプインジケータ、またはパスロス測定用の参照信号リソースインジケータのうちの少なくとも１つを含む。閉ループ電力制御パラメータは、閉ループ電力制御プロセス識別子、または閉ループ電力制御プロセスの数のうちの少なくとも１つを含む。
【０２６５】
本開示のある実施形態では、送信の送信電力は、少なくとも１つのサブ送信の送信電力を含む。
【０２６６】
本開示のある実施形態では、第１の判定モジュール７０２は具体的に、関連付けにおける送信の空間領域リソース情報と関連付けられた電力制御パラメータを、送信の電力制御パラメータと見なす方法、関連付けにおけるすべての第１の特定の空間領域リソース情報と関連付けられた電力制御パラメータを送信の電力制御パラメータと見なし、すべての第１の特定の空間領域リソース情報の各々が送信の空間領域リソース情報によって示される参照信号リソースのうちの１つを示す方法、または、送信の空間領域リソース情報によって示される各参照信号リソースグループの電力制御パラメータが関連付けに従って求められ、送信の空間領域リソース情報によって示されるすべての参照信号リソースグループの電力制御パラメータを、送信の電力制御パラメータと見なす方法のうちのいずれか１つを採用することによって、送信の電力制御パラメータを求めるように構成される。
【０２６７】
本開示のある実施形態では、第１の判定モジュール７０２は具体的に、送信の参照信号リソースグループの電力制御パラメータが関連付けにおけるすべての第２の特定の空間領域リソース情報と関連付けられた電力制御パラメータに従って求められ、すべての第２の特定の空間領域リソース情報の各々が参照信号リソースグループ内の１つの参照信号リソースを示す方法、または、関連付けにおける第３の特定の空間領域リソース情報と関連付けられた電力制御パラメータを参照信号リソースグループの電力制御パラメータと見なし、第３の特定の空間領域リソース情報が参照信号リソースグループ内のすべての参照信号リソースを示す方法のうちのいずれか１つを採用することによって、関連付けに従って送信の空間領域リソース情報の各参照信号リソースグループの電力制御パラメータを求めるように構成される。
【０２６８】
本開示のある実施形態では、第１の判定モジュール７０２は具体的に、空間領域リソース情報に含まれる参照信号リソースが、事前に定義されたグループのメンバーに従ってグループ分け可能な方法、空間領域リソース情報に含まれる参照信号リソースが、事前に定義されたもしくは構成されたグループの数に基づいて所定のルールに従って求められたグループのメンバーに従ってグループ分け可能な方法、または、空間領域リソース情報に含まれる参照信号リソースが、構成されたグループのメンバーに従ってグループ分け可能な方法のうちのいずれか１つを採用することによって、空間領域リソース情報によって示される参照信号リソースをグループ分けするように構成される。
【０２６９】
本開示のある実施形態では、参照信号リソースグループとサブ送信の送信電力との関連付けがある。
【０２７０】
本開示のある実施形態では、第１の判定モジュール７０２は具体的に、送信の特定のタイプ、関連付け、および送信の空間領域リソース情報に従って送信の電力制御パラメータを求めるように構成され、特定のタイプは、サービスタイプまたはスケジューリングタイプを含む。
【０２７１】
本開示のある実施形態では、第２の判定モジュール７０３は具体的に、送信の電力制御パラメータに従って送信の初期送信電力を求めるように、かつ、送信の初期送信電力と、送信の基本的な特定のタイプに対する送信の特定のタイプの事前に定義された送信電力オフセットとに従って、送信の最終的な送信電力を求めるように構成され、特定のタイプは、サービスタイプまたはスケジューリングタイプを含む。
【０２７２】
本開示のある実施形態では、空間領域リソース情報は、参照信号リソース情報または空間関係情報のうちの少なくとも１つを含む。
【０２７３】
本開示のある実施形態では、電力制御パラメータは、開ループ電力制御パラメータ、パスロス測定パラメータ、または閉ループ電力制御パラメータのうちの少なくとも１つを含む。
【０２７４】
上述した電力制御装置の具体的な実現プロセスは、上述の実施形態および例の具体的な実現プロセスと同様であり、ここでは繰り返さない。
【０２７５】
図８を参照すると、本開示の別の実施形態は電力制御装置を提供する。電力制御装置は、第１の構成モジュール８０１と第２の構成モジュール８０２とを備える。第１の構成モジュール８０１は、空間領域リソース情報と電力制御パラメータとの関連付けを構成するように構成される。第２の構成モジュール８０２は、送信の空間領域リソース情報を構成するまたは示すように構成される。
【０２７６】
本開示のある実施形態では、第２の構成モジュール８０２は具体的に、上位層シグナリング、ダウンリンク制御情報、メディアアクセス制御シグナリング、または物理層制御シグナリングのうちの少なくとも１つを介して、送信の空間領域リソース情報を構成するまたは示すように構成される。
【０２７７】
本開示のある実施形態では、空間領域リソース情報によって示されるすべての参照信号リソースは、電力制御パラメータを共有する、または、空間領域リソース情報によって示される各参照信号リソースが電力制御パラメータの１つのパラメータに対応する場合、または、空間領域リソース情報によって示される参照信号リソースが、１より大きくＭより小さい整数であるＮ個のグループに分類される場合、各グループは、電力制御パラメータの１つのパラメータに対応する。
【０２７８】
本開示のある実施形態では、空間領域リソース情報と関連付けられた電力制御パラメータのいずれか１つのパラメータの数が１〜Ｍのうちのいずれか１つであり、Ｍが空間領域リソース情報によって示される参照信号リソースの数であり、空間領域リソース情報と関連付けられた電力制御パラメータのパラメータの数が１の場合、空間領域リソース情報によって示されるすべての参照信号リソースはこのパラメータを共有し、空間領域リソース情報と関連付けられた電力制御パラメータのパラメータの数がＭの場合、空間領域リソース情報によって示される各参照信号リソースは、Ｍ個のパラメータのうちの１つに対応し、空間領域リソース情報と関連付けられた電力制御パラメータのパラメータの数が、１より大きくＭより小さい整数であるＮの場合、空間領域リソース情報によって示される参照信号リソースはＮ個のグループに分類され、各グループはＮ個のパラメータのうちの１つに対応する。
【０２７９】
本開示のある実施形態では、空間領域リソース情報と関連付けられた電力制御パラメータのいずれか１つのパラメータの数は１〜Ｘのうちのいずれか１つであり、Ｘは送信によってサポートされる特定のタイプの数であり、特定のタイプはサービスタイプまたはスケジューリングタイプを含み、空間領域リソース情報と関連付けられた電力制御パラメータのパラメータの数が１の場合、送信によってサポートされるすべての特定のタイプはこのパラメータを共有し、空間領域リソース情報と関連付けられた電力制御パラメータのパラメータの数がＸの場合、送信によってサポートされる各特定のタイプはＸ個のパラメータのうちの１つに対応し、空間領域リソース情報と関連付けられた電力制御パラメータのパラメータの数が１より大きくＸより小さい整数であるＹの場合、送信によってサポートされるすべての特定のタイプはＹ個のグループに分類され、各グループはＹ個のパラメータのうちの１つに対応する。
【０２８０】
上述した電力制御装置の具体的な実現プロセスは、上述の実施形態および例の具体的な実現プロセスと同様であり、ここでは繰り返さない。
【０２８１】
図９を参照すると、本開示の別の実施形態は電力制御装置を提供する。電力制御装置は、第２の受信モジュール９０１、第１の探索モジュール９０２および第３の判定モジュール９０３を備える。第２の受信モジュール９０１は、送信の空間領域リソース情報を受信するように構成される。第１の探索モジュール９０２は、空間領域リソース情報と電力制御パラメータとの関連付けにおける送信の空間領域リソース情報と関連付けられた電力制御パラメータを求めるように構成され、求められた電力制御パラメータの少なくとも１つのパラメータの数は１より大きい。第３の判定モジュール９０３は、求められた電力制御パラメータに従って、送信の特定のタイプに対する電力制御パラメータを求めるように構成され、特定のタイプは、サービスタイプまたはスケジューリングタイプを含む。
【０２８２】
本開示のある実施形態では、第３の判定モジュール９０３は具体的に、求められた電力制御パラメータから送信の特定のタイプに対応する電力制御パラメータを選択し、かつ、求められた電力制御パラメータと、送信の基本的な特定のタイプに対応する送信の特定のタイプの事前に定義された電力制御パラメータオフセットとに従って、送信の特定のタイプに対応する電力制御パラメータを求めるように構成される。
【０２８３】
本開示のある実施形態では、空間領域リソース情報と関連付けられた電力制御パラメータのいずれか１つのパラメータの数は１〜Ｘのいずれか１つであり、Ｘは送信によってサポートされる特定のタイプの数であり、特定のタイプはサービスタイプまたはスケジューリングタイプを含み、空間領域リソース情報と関連付けられた電力制御パラメータのパラメータの数が１の場合、送信によってサポートされるすべての特定のタイプはこのパラメータを共有し、空間領域リソース情報と関連付けられた電力制御パラメータのパラメータの数がＸの場合、送信によってサポートされる各特定のタイプは、Ｘ個のパラメータのうちの１つに対応し、空間領域リソース情報と関連付けられた電力制御パラメータのパラメータの数が、１より大きくＸより小さい整数であるＮの場合、送信によってサポートされるすべての特定のタイプはＮ個のグループに分類され、各グループはＮ個のパラメータのうちの１つに対応する。
【０２８４】
上述した電力制御装置の具体的な実現プロセスは、上述の実施形態および例の具体的な実現プロセスと同様であり、ここでは繰り返さない。
【０２８５】
図１０を参照すると、本開示の別の実施形態は電力制御装置を提供する。電力制御装置は、第３の受信モジュール１００１、第４の判定モジュール１００２および第５の判定モジュール１００３を備える。第３の受信モジュール１００１は、送信の空間領域リソース情報を受信するように構成される。第４の判定モジュール１００２は、送信の空間領域リソース情報と、空間領域リソース情報と電力制御パラメータとの関連付けとに従って、送信の電力制御パラメータを求めるように構成される。第５の判定モジュール１００３は、送信の電力制御パラメータに従って送信の初期送信電力を求め、初期送信電力と、送信の基本的な特定のタイプに対する送信の特定のタイプの事前に定義された送信電力オフセットに従って、送信の最終的な送信電力を求めるように構成され、特定のタイプは、サービスタイプまたはスケジューリングタイプを含む。
【０２８６】
上述した電力制御装置の具体的な実現プロセスは、上述の実施形態および例の具体的な実現プロセスと同様であり、ここでは繰り返さない。
【０２８７】
本開示の別の実施形態は電力制御装置を提供する。電力制御装置は、プロセッサとコンピュータ可読記憶媒体とを備える。コンピュータ可読記憶媒体は命令を格納し、命令は、プロセッサによって実行されると、上述の電力制御方法のうちのいずれか１つを実現する。
【０２８８】
本開示の別の実施形態は、コンピュータ可読記憶媒体を提案する。コンピュータプログラムがコンピュータ可読記憶媒体に格納される。コンピュータプログラムは、プロセッサによって実行されると、上述の電力制御方法のうちのいずれか１つのステップを実現する。
【０２８９】
物理アップリンク共有チャネル（ＰＵＳＣＨ）送信の場合、構成された目標受信電力Ｐ０は、P0_NOMINAL_PUSCHと表記されるセル特有Ｐ０と、P0_UE_PUSCHと表記されるＵＥ特有Ｐ０とに分類される。
【０２９０】
関連技術では、実際のＰＵＳＣＨ送信がない場合、電力制御パラメータのセットを、仮想電力ヘッドルーム（ＰＨ）を計算するために求める必要があり、仮想ＰＨは、ＰＨが計算されるときに実際のＰＵＳＣＨ送信がない状態で仮定されたＰＵＳＣＨ送信の電力制御パラメータに従って計算された電力ヘッドルームを表す。
【０２９１】
仮想ＰＨは、仮想ＰＨＲ、または参照ＰＨＲ、または参照フォーマットのＰＨＲとも呼ばれる。
【０２９２】
ＰＨは電力ヘッドルームである。ＰＨＲはＰＨ報告、すなわち、電力ヘッドルーム報告である。
【０２９３】
ＰＨＲの計算とは、ＰＨの計算およびＰＨＲの合成のことであり、それゆえ、ＰＨＲの計算およびＰＨの計算は交換可能である。
【０２９４】
実際のＰＵＳＣＨ送信が存在しない場合、電力ヘッドルームは、仮定されたＰＵＳＣＨ送信の電力制御パラメータに従って計算される、すなわち、電力ヘッドルームは参照ＰＵＳＣＨ送信に従って計算される。
【０２９５】
本明細書では、仮想ＰＨを計算するために用いられる電力制御パラメータは、参照ＰＵＳＣＨ送信に従ってタイプ１のＰＨＲを計算するためにＵＥによって用いられる電力制御パラメータである。
【０２９６】
【数３】
2021534630.tif 000005
【０２９７】
セル特有電力制御パラメータP0_NOMINAL_PUSCHが許可ベースＰＵＳＣＨおよび許可フリーＰＵＳＣＨ用にそれぞれ異なる構成を有する。しかしながら、セル特有目標受信電力を求めるための方法は、関連技術では提供されていない。
【０２９８】
図１１を参照すると、本開示の別の実施形態は、目標受信電力を求めるための方法を提案する。方法は以下のステップを含む。
【０２９９】
ステップ１１００で、仮想ＰＨを計算するためのセル特有目標受信電力である第１の目標受信電力を、第２の目標受信電力を第１の目標受信電力と見なす方式、第３の目標受信電力を第１の目標受信電力と見なす方式、仮想電力ヘッドルーム報告のユーザ装置（ＵＥ）特有目標受信電力が動的許可ベースサービス用に構成される場合、第３の目標受信電力を第１の目標受信電力と見なし、そうでない場合、第２の目標受信電力を第１の目標受信電力と見なす方式、仮想電力ヘッドルーム報告のＵＥ特有目標受信電力が非動的許可ベースサービス用に構成される場合、第２の目標受信電力を第１の目標受信電力と見なし、そうでない場合、第３の目標受信電力を第１の目標受信電力と見なす方式のうちのいずれか１つを採用することによって、第１の目標受信電力を求める。
【０３００】
第２の目標受信電力は、p0-NominalWithoutGrantなどの非動的許可送信用に構成されたセル特有目標受信電力であり、第３の目標受信電力は、p0-NormalWithGrantなどの動的許可ベース送信用に構成されたセル特有目標受信電力である。
【０３０１】
本開示の実施形態では、仮想ＰＨＲとは、送信のないシナリオのＰＨＲに対応する。セル特有目標受信電力はP0_nominalを表す。
【０３０２】
本開示の別の実施形態では、方法はさらに以下を備える。
ステップ１１０１で、第１の目標受信電力に従って仮想電力ヘッドルームを計算する。
【０３０３】
【数４】
2021534630.tif 000006
【０３０４】
本開示のある実施形態では、仮想ＰＨは参照ＰＨとも呼ばれ、仮想ＰＨＲは参照ＰＨＲとも呼ばれる。
【０３０５】
上述の方法は、ＵＥが参照ＰＵＳＣＨ送信に基づいてタイプ１のＰＨＲを求めるシナリオに適用可能である。
【０３０６】
上述の方法は、ＵＥが、タイプ１の仮想ＰＨ、またはタイプ１の参照ＰＨとも呼ばれる仮想タイプ１のＰＨを計算するシナリオにも適用可能である。
【０３０７】
図１２を参照すると、本開示の別の実施形態は、目標受信電力を求めるための装置を提案する。装置は、第６の判定モジュール１２０１を備える。第６の判定モジュール１２０１は、仮想電力ヘッドルームを計算するためのセル特有目標受信電力である第１の目標受信電力を、第２の目標受信電力を第１の目標受信電力と見なす方式、第３の目標受信電力を第１の目標受信電力と見なす方式、仮想電力ヘッドルーム報告のＵＥ特有目標受信電力が動的許可ベースサービス用に構成される場合、第３の目標受信電力を第１の目標受信電力と見なし、そうでない場合、第２の目標受信電力を第１の目標受信電力と見なす方式、仮想電力ヘッドルーム報告のＵＥ特有目標受信電力が非動的許可ベースサービス用に構成される場合、第２の目標受信電力を第１の目標受信電力と見なし、そうでない場合、第３の目標受信電力を第１の目標受信電力と見なす方式のうちのいずれか１つを採用することによって、求めるように構成される。
【０３０８】
第２の目標受信電力は、非動的許可送信用に構成されたセル特有目標受信電力であり、第３の目標受信電力は、動的許可ベース送信用に構成されたセル特有目標受信電力である。
【０３０９】
目標受信電力を求めるための装置の具体的な実現方法は上述の実施形態のものと同様であり、ここでは繰り返さない。
【０３１０】
本開示の別の実施形態は、目標受信電力を求めるための装置を提供する。装置は、プロセッサとコンピュータ可読記憶媒体とを備える。コンピュータ可読記憶媒体は命令を格納し、命令は、プロセッサによって実行されると、上述の目標受信電力を求めるための方法のうちのいずれか１つを実現する。
【０３１１】
本開示の別の実施形態は、コンピュータ可読記憶媒体を提供する。コンピュータプログラムが、コンピュータ可読記憶媒体に格納される。コンピュータプログラムは、プロセッサによって実行されると、上述の目標受信電力を求めるための方法のステップを実現する。
【０３１２】
図１３を参照すると、本開示の別の実施形態は、目標受信電力を求めるための方法を提案する。方法は以下のステップを備える。
【０３１３】
ステップ１３００で、第１の目標受信電力を、第２の目標受信電力、第３の目標受信電力、または第４の目標受信電力のうちの少なくとも１つに従って求める。
【０３１４】
第１の目標受信電力は、仮想電力ヘッドルームを計算するためのセル特有目標受信電力であり、第２の目標受信電力は、非動的許可送信用に構成されたセル特有目標受信電力、すなわちp0-NominalWithoutGrantであり、第３の目標受信電力は、動的許可ベース送信用に構成されたセル特有目標受信電力、すなわちp0-NominalWithGrantであり、第４の目標受信電力は、メッセージ３（Ｍｓｇ３）の物理アップリンク共有チャネル送信のセル特有目標受信電力である。
【０３１５】
Ｍｓｇ３  ＰＵＳＣＨ送信は、アップリンクランダムアクセスプロセスの第３のメッセージの送信であり、Ｍｓｇ３  ＰＵＳＣＨ送信のセル特有目標受信電力は、プリアンブル受信目標受信電力、すなわちpreamble Received TargetPowerと、Ｍｓｇ３とプリアンブルとの差分値、すなわちmsg3-DeltaPreambleとの２つの部分から構成される。両方の部分は上位層パラメータによって構成される。
【０３１６】
上述の第１の目標受信電力は、仮想電力ヘッドルームを計算するためのセル特有目標受信電力であり、参照ＰＵＳＣＨ送信に従ってタイプ１のＰＨＲを計算するためにＵＥによって用いられる電力制御パラメータのセル特有目標受信電力としても説明可能である。
【０３１７】
本開示のある実施形態では、第１の目標受信電力を第２の目標受信電力に従って求めるステップは、第２の目標受信電力を第１の目標受信電力と見なすことを含む。
【０３１８】
本開示のある実施形態では、第１の目標受信電力を第３の目標受信電力に従って求めるステップは、第３の目標受信電力を第１の目標受信電力と見なすことを含む。
【０３１９】
本開示のある実施形態では、第１の目標受信電力を第４の目標受信電力に従って求めるステップは、第４の目標受信電を第１の目標受信電力と見なすことを含む。
【０３２０】
本開示のある実施形態では、第１の目標受信電力を求めるステップは、第２の目標受信電力が提供もしくは構成される場合、第２の目標受信電力を第１の目標受信電力と見なすこと、第２の目標受信電力が提供もしくは構成されない場合、第３の目標受信電力を第１の目標受信電力と見なすこと、第２の目標受信電力が提供もしくは構成されない場合、第４の目標受信電力を第１の目標受信電力と見なすこと、第３の目標受信電力が提供もしくは構成される場合、第３の目標受信電力を第１の目標受信電力と見なすこと、第３の目標受信電力が提供もしくは構成されない場合、第２の目標受信電力を第１の目標受信電力と見なすこと、または、第３の目標受信電力が提供もしくは構成されない場合、第４の目標受信電力を第１の目標受信電力と見なすことのうちいずれか１つを含む。
【０３２１】
上述の第１の目標受信電力を求めるための方法は独立して用いてもよい、組合わせて用いてもよい、または、他の方法と組合わせて用いてもよい。
【０３２２】
たとえば、第２の目標受信電力が構成される場合、第２の目標受信電力を１の目標受信電力と見なし、そうではなく、第３の目標受信電力が構成される場合、第３の目標受信電力を第１の目標受信電力と見なし、そうでない場合、第４の目標受信電力を第１の目標受信電力と見なす。
【０３２３】
他の例では、第３の目標受信電力が構成される場合、第３の目標受信電力を第１の目標受信電力と見なし、そうではなく、第２の目標受信電力が提供される場合、第２の目標受信電力を第１の目標受信電力と見なし、そうではない場合、第４の目標受信電力を第１の目標受信電力と見なす。
【０３２４】
他の例では、第２の目標受信電力が提供または構成される場合、第２の目標受信電力を第１の目標受信電力と見なし、第２の目標受信電力が提供または構成されず、第３の目標受信電力が提供または構成される場合、第３の目標受信電力を第１の目標受信電力と見なし、第２の目標受信電力が提供または構成されず、第３の目標受信電力が構成されない場合、第４の目標受信電力を第１の目標受信電力と見なす。
【０３２５】
他の例では、第３の目標受信電力が提供または構成される場合、第３の目標受信電力を第１の目標受信電力と見なし、第３の目標受信電力が提供または構成されず、第２の目標受信電力が提供または構成される場合、第２の目標受信電力を第１の目標受信電力と見なし、第３の目標受信電力が提供または構成されず、第２の目標受信電力が提供または構成されない場合、第４の目標受信電力を第１の目標受信電力と見なす。
【０３２６】
本開示のある実施形態では、第１の目標受信電力を求めるステップは、非動的許可送信のパラメータ（configuredGrantConfigなど）が提供もしくは構成される場合、第２の目標受信電力を第１の目標受信電力と見なすこと、非動的許可送信のパラメータが提供もしくは構成されない場合、第３の目標受信電力を第１の目標受信電力と見なすこと、非動的許可送信のパラメータが提供もしくは構成されない場合、第４の目標受信電力を第１の目標受信電力と見なすこと、動的許可ベース送信のパラメータ（PUSCH-Configなど）が提供もしくは構成される場合、第３の目標受信電力を第１の目標受信電力と見なすこと、または、動的許可ベース送信のパラメータが提供もしくは構成されない場合、第４の目標受信電力を第１の目標受信電力と見なすことのうちのいずれか１つを含む。
【０３２７】
上述の第１の目標受信電力を求めるための方法は独立して用いてもよい、または、組合わせて用いてもよい。
【０３２８】
たとえば、非動的許可送信のパラメータ（configuredGrantConfigなど）が構成される場合、第２の目標受信電力を第１の目標受信電力と見なし、そうでない場合、第４の目標受信電力または第３の目標受信電力を第１の目標受信電力と見なす。
【０３２９】
他の例では、動的許可ベース送信のパラメータ（PUSCH-Configなど）が構成される場合、第３の目標受信電力を第１の目標受信電力と見なし、そうでない場合、第４の目標受信電力を第１の目標受信電力と見なす。
【０３３０】
他の例では、非動的許可送信のパラメータ（configuredGrantConfigなど）が提供または構成される場合、第２の目標受信電力を第１の目標受信電力と見なし、非動的許可送信のパラメータが提供または構成されない場合、第４の目標受信電力または第３の目標受信電力を第１の目標受信電力と見なす。
【０３３１】
他の例では、動的許可ベース送信のパラメータ（PUSCH-Configなど）が提供または構成される場合、第３の目標受信電力を第１の目標受信電力と見なし、動的許可ベース送信のパラメータが提供または構成されない場合、第４の目標受信電力を第１の目標受信電力と見なす。
【０３３２】
上述の非動的許可送信のパラメータ（configuredGrantConfigなど）は、非動的許可送信のパラメータを構成するための構成された許可送信の構成情報とも呼ばれる。
【０３３３】
上述の動的許可ベース送信のパラメータ（PUSCH-Configなど）は、物理アップリンク共有チャネル構成情報とも呼ばれる。
【０３３４】
本開示のある実施形態では、第１の目標受信電力を求めるステップは、仮想電力ヘッドルームを計算するためのＵＥ特有目標受信電力が動的許可ベース送信用に提供もしくは構成される場合、第３の目標受信電力を第１の目標受信電力と見なすこと、仮想電力ヘッドルームを計算するためのＵＥ特有目標受信電力が動的許可ベース送信用に提供もしくは構成されない場合、第２の目標受信電力を第１の目標受信電力と見なすこと、仮想電力ヘッドルームを計算するためのＵＥ特有目標受信電力が動的許可ベース送信用に提供もしくは構成されない場合、第４の目標受信電力を第１の目標受信電力と見なすこと、仮想電力ヘッドルームを計算するためのＵＥ特有目標受信電力が非動的許可送信用に提供もしくは構成される場合、第２の目標受信電力を第１の目標受信電力と見なすこと、仮想電力ヘッドルームを計算するためのＵＥ特有目標受信電力が非動的許可送信用に構成されない場合、第３の目標受信電力を第１の目標受信電力と見なすこと、または、仮想電力ヘッドルームを計算するためのＵＥ特有目標受信電力が非動的許可送信用に提供もしくは構成されない場合、第４の目標受信電力を第１の目標受信電力と見なすことのうちのいずれか１つを含む。
【０３３５】
上述の第１の目標受信電力を求めるための方法は、独立して用いてもよい、または組み合わせて用いてもよい。
【０３３６】
たとえば、仮想電力ヘッドルームを計算するためのＵＥ特有目標受信電力が動的許可ベース送信用に構成されない場合、第４の目標受信電力を第１の目標受信電力と見なし、そうでない場合、第２の目標受信電力を第１の目標受信電力と見なす。
【０３３７】
他の例では、仮想電力ヘッドルームを計算するためのＵＥ特有目標受信電力が動的許可ベース送信用に構成されない場合、第４の目標受信電力を第１の目標受信電力と見なし、そうでない場合、第４の目標受信電力を第１の目標受信電力と見なす。
【０３３８】
他の例では、仮想電力ヘッドルームを計算するためのＵＥ特有目標受信電力が非動的許可送信用に構成される場合、第２の目標受信電力を第１の目標受信電力と見なし、そうでない場合、第３の目標受信電力を第１の目標受信電力と見なす。
【０３３９】
他の例では、仮想電力ヘッドルームを計算するためのＵＥ特有目標受信電力が非動的許可送信用に構成される場合、第２の目標受信電力を第１の目標受信電力と見なし、そうでない場合、第４の目標受信電力を第１の目標受信電力と見なす。
【０３４０】
他の例では、仮想電力ヘッドルームを計算するためのＵＥ特有目標受信電力が動的許可ベース送信用に提供または構成されない場合、第４の目標受信電力を第１の目標受信電力と見なし、仮想電力ヘッドルームを計算するためのＵＥ特有目標受信電力が非動的許可送信用に提供または構成される場合、第２の目標受信電力を第１の目標受信電力と見なす。
【０３４１】
他の例では、仮想電力ヘッドルームを計算するためのＵＥ特有目標受信電力が動的許可ベース送信用に提供または構成されない場合、第４の目標受信電力を第１の目標受信電力と見なし、仮想電力ヘッドルームを計算するためのＵＥ特有目標受信電力が非動的許可送信用に提供または構成される場合、第４の目標受信電力を第１の目標受信電力と見なす。
【０３４２】
他の例では、仮想電力ヘッドルームを計算するためのＵＥ特有目標受信電力が非動的許可送信用に提供または構成される場合、第２の目標受信電力を第１の目標受信電力と見なし、仮想電力ヘッドルームを計算するためのＵＥ特有目標受信電力が動的許可ベース送信用に提供または構成される場合、第３の目標受信電力を第１の目標受信電力と見なす。
【０３４３】
他の例では、仮想電力ヘッドルームを計算するためのＵＥ特有目標受信電力が非動的許可送信用に提供または構成される場合、第２の目標受信電力を第１の目標受信電力と見なし、仮想電力ヘッドルームを計算するためのＵＥ特有目標受信電力が動的許可ベース送信用に提供または構成されない場合、第４の目標受信電力を第１の目標受信電力と見なす。
【０３４４】
本開示のある実施形態では、パラメータの提供およびパラメータの構成は、等しく置き換え可能である。
【０３４５】
第４の目標受信電力は、デフォルト値、またはランダムアクセスプロセスにおけるＭＳＧ１（プリアンブル）の電力値、またはＭＳＧ１の目標受信電力、すなわち、 PREAMBLE_RECEIVED_TARGET_POWEでもよい。
【０３４６】
図１４を参照すると、本開示の別の実施形態は、目標受信電力を求めるための装置を提案する。装置は、第７の判定モジュール１４０１を備える。第７の判定モジュール１４０１は、第２の目標受信電力、第３の目標受信電力、または第４の目標受信電力のうちの少なくとも１つに従って第１の目標受信電力を求めるように構成される。
【０３４７】
第１の目標受信電力は、仮想電力ヘッドルームを計算するためのセル特有目標受信電力である。第２の目標受信電力は、非動的許可送信用に構成されたセル特有目標受信電力である。第３の目標受信電力は、動的許可ベース送信用に構成されたセル特有目標受信電力である。第４の目標受信電力は、メッセージ３の物理アップリンク共有チャネル送信のセル特有目標受信電力である。
【０３４８】
Ｍｓｇ３  ＰＵＳＣＨ送信は、アップリンクランダムアクセスプロセスにおける第３のメッセージの送信であり、Ｍｓｇ３  ＰＵＳＣＨ送信のセル特有目標受信電力は、プリアンブル受信目標受信電力、すなわち、preamble Received TargetPowerと、Ｍｓｇ３とプリアンブルとの差分値、すなわち、msg3-DeltaPreambleとの２つの部分から構成される。両方の部分は上位層パラメータによって構成される。
【０３４９】
上述の第１の目標受信電力は、仮想電力ヘッドルームを計算するためのセル特有目標受信電力であり、参照ＰＵＳＣＨ送信に従ってタイプ１のＰＨＲを計算するためにＵＥによって用いられる電力制御パラメータのセル特有目標受信電力と記載されてもよい。
【０３５０】
本開示のある実施形態では、第７の判定モジュール１４０１は具体的に、第２の目標受信電力を第１の目標受信電力と見なす方式を採用することによって、第２の目標受信電力に従って第１の目標受信電力を求めるように構成される。
【０３５１】
本開示のある実施形態では、第７の判定モジュール１４０１は具体的に、第３の目標受信電力を第１の目標受信電力と見なす方式を採用することによって、第３の目標受信電力に従って第１の目標受信電力を求めるように構成される。
【０３５２】
本開示のある実施形態では、第７の判定モジュール１４０１は具体的に、第４の目標受信電力を第１の目標受信電力と見なす方式を採用することによって、第４の目標受信電力に従って第１の目標受信電力を求めるように構成される。
【０３５３】
本開示のある実施形態では、第７の判定モジュール１４０１は具体的に、第２の目標受信電力が提供もしくは構成される場合、第２の目標受信電力を第１の目標受信電力と見なす方式、第２の目標受信電力が提供もしくは構成されない場合、第３の目標受信電力を第１の目標受信電力と見なす方式、第２の目標受信電力が提供もしくは構成されない場合、第４の目標受信電力を第１の目標受信電力と見なす方式、第３の目標受信電力が提供もしくは構成される場合、第３の目標受信電力を第１の目標受信電力と見なす方式、第３の目標受信電力が提供もしくは構成されない場合、第２の目標受信電力を第１の目標受信電力と見なす方式、または、第３の目標受信電力が提供もしくは構成されない場合、第４の目標受信電力を第１の目標受信電力と見なす方式のうちの少なくとも１つを採用することによって、第１の目標受信電力を求めるように構成される。
【０３５４】
本開示のある実施形態では、第７の判定モジュール１４０１は具体的に、非動的許可送信のパラメータ（configuredGrantConfigなど）が提供もしくは構成される場合、第２の目標受信電力を第１の目標受信電力と見なす方式、非動的許可送信のパラメータが提供もしくは構成されない場合、第３の目標受信電力を第１の目標受信電力と見なす方式、非動的許可送信のパラメータが提供もしくは構成されない場合、第４の目標受信電力を第１の目標受信電力と見なす方式、動的許可ベース送信のパラメータ（PUSCH-Configなど）が提供もしくは構成される場合、第３の目標受信電力を第１の目標受信電力と見なす方式、または、動的許可ベース送信のパラメータが提供もしくは構成されない場合、第４の目標受信電力を第１の目標受信電力と見なす方式のうちの少なくともいずれか１つを採用することによって、第１の目標受信電力を求めるように構成される。
【０３５５】
本開示のある実施形態では、第７の判定モジュール１４０１は具体的に、仮想電力ヘッドルームを計算するためのＵＥ特有目標受信電力が動的許可ベース送信用に提供もしくは構成される場合、第３の目標受信電力を第１の目標受信電力と見なす方式、仮想電力ヘッドルームを計算するためのＵＥ特有目標受信電力が動的許可ベース送信用に提供もしくは構成されない場合、第２の目標受信電力を第１の目標受信電力と見なす方式、仮想電力ヘッドルームを計算するためのＵＥ特有目標受信電力が動的許可ベース送信用に提供もしくは構成されない場合、第４の目標受信電力を第１の目標受信電力と見なす方式、仮想電力ヘッドルームを計算するためのＵＥ特有目標受信電力が非動的許可送信用に提供もしくは構成される場合、第２の目標受信電力を第１の目標受信電力と見なす方式、仮想電力ヘッドルームを計算するためのＵＥ特有目標受信電力が非動的許可送信用に構成されない場合、第３の目標受信電力を第１の目標受信電力と見なす方式、または、仮想電力ヘッドルームを計算するためのＵＥ特有目標受信電力が非動的許可送信用に提供もしくは構成されない場合、第４の目標受信電力を第１の目標受信電力と見なす方式のうちの少なくとも１つを採用することによって、第１の目標受信電力を求めるように構成される。
【０３５６】
上述した目標受信電力のための装置の具体的な実現プロセスは、上述の実施形態における目標受信電力のための方法の具体的な実現プロセスと同様であり、ここでは繰り返さない。
【０３５７】
本開示の別の実施形態は、目標受信電力を求めるための装置を提供する。装置は、プロセッサとコンピュータ可読記憶媒体とを備える。コンピュータ可読記憶媒体は命令を格納し、命令は、プロセッサによって実行されると、上述の目標受信電力を求めるための方法のいずれか１つを実行する。
【０３５８】
本開示の別の実施形態は、コンピュータ可読記憶媒体を提供する。コンピュータプログラムが、コンピュータ可読記憶媒体に格納される。コンピュータプログラムは、プロセッサによって実行されると、上述の目標受信電力を求めるための方法のステップを実現する。
【０３５９】
当業者であれば、開示した方法のステップ、システム、装置のうちのすべてまたは一部における機能的なモジュール／ユニットがソフトウェア、ファームウェア、ハードウェア、およびそれらの好適な組合わせとして実現可能であることを理解するであろう。上述の説明における機能的なモジュール／ユニット間の区別は、必ずしもハードウェア実現方式における物理的なアセンブリの区別に対応するものではない。たとえば、１つの物理アセンブリは複数の機能を有してもよい、または、１つの機能もしくはステップは複数の物理アセンブリによって協調して行われてもよい。アセンブリの一部またはすべては、デジタル信号プロセッサもしくはマイクロプロセッサなどのプロセッサによって実行されるソフトウェアとして、またはハードウェアとして、または特定用途向け集積回路などの集積回路として実現されてもよい。そのようなソフトウェアは、コンピュータ記憶媒体（または非一時的な媒体）および通信媒体（または一時的な媒体）を含み得るコンピュータ可読媒体にわたって分布してもよい。当業者にはよく知られているように、「コンピュータ記憶媒体」という用語は、揮発性媒体および不揮発性媒体、情報（たとえば、コンピュータ可読命令、データ構造、プログラムモジュールもしくは他のデータ）の記憶のための方法または技術において実現される取外し可能媒体および取外し不能媒体を含む。コンピュータ記憶媒体は、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光学ディスク記憶、磁気カセット、磁気テープ、磁気ディスク記憶装置もしくは他の磁気記憶装置、または所望の情報を格納するために用いることができコンピュータによってアクセスできる他の媒体を含むが、これらに限定されない。さらに、通信媒体が典型的にコンピュータ可読命令、データ構造、プログラムモジュール、または搬送波もしくは他の搬送機構などの変調データ信号内の他のデータを包含し、任意の情報配信媒体を含み得ることは、当業者によく知られている。
【０３６０】
本開示の実施形態で開示された実現方式について説明したが、説明された内容は本開示の実施形態の理解を容易にするために用いられる実現態様に過ぎず、本開示の実施形態を限定することを意図したものではない。
【図１】
2021534630.tif 000007
【図２】
2021534630.tif 000008
【図３】
2021534630.tif 000009
【図４】
2021534630.tif 000010
【図５】
2021534630.tif 000011
【図６】
2021534630.tif 000012
【図７】
2021534630.tif 000013
【図８】
2021534630.tif 000014
【図９】
2021534630.tif 000015
【図１０】
2021534630.tif 000016
【図１１】
2021534630.tif 000017
【図１２】
2021534630.tif 000018
【図１３】
2021534630.tif 000019
【図１４】
2021534630.tif 000020
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
目標受信電力を求めるための方法であって、
第１の目標受信電力を第２の目標受信電力に従って求めることを備え、
前記第１の目標受信電力は、仮想電力ヘッドルームを計算するためのセル特有目標受信電力であり、前記第２の目標受信電力は、メッセージ３の物理アップリンク共有チャネル送信のセル特有目標受信電力である、方法。
【請求項２】
前記第２の目標受信電力を前記第１の目標受信電力と見なすことをさらに備える、請求項１に記載の方法。
【請求項３】
前記第１の目標受信電力は、さらに第３の目標受信電力に従って求められ、
前記第３の目標受信電力は、動的許可ベース送信用に構成されたセル特有目標受信電力である、請求項１または請求項２に記載の方法。
【請求項４】
前記第３の目標受信電力を前記第１の目標受信電力と見なすことをさらに備える、請求項３に記載の方法。
【請求項５】
前記第１の目標受信電力は、さらに第４の目標受信電力に従って求められ、前記第４の目標受信電力は、非動的許可送信用に構成されたセル特有目標受信電力である、請求項１から請求項４のいずれか１項に記載の方法。
【請求項６】
前記第４の目標受信電力を前記第１の目標受信電力と見なすことをさらに備える、請求項５に記載の方法。
【請求項７】
前記第２の目標受信電力は、プリアンブル受信目標受信電力および、メッセージ３と前記プリアンブルとの間の差分値とを含む、請求項１から請求項６のいずれか１項に記載の方法。
【請求項８】
目標受信電力を求めるための装置であって、プロセッサとコンピュータ可読記憶媒体とを備え、前記コンピュータ可読記憶媒体は命令を格納し、前記命令は、前記プロセッサによって実行されると、請求項１〜７のうちのいずれか１項に記載の前記目標受信電力を求めるための方法を実現する、装置。
【請求項９】
コンピュータプログラムを格納し、前記コンピュータプログラムは、プロセッサによって実行されると、請求項１〜７のうちのいずれか１項に記載の前記目標受信電力を求めるための方法のステップを実現する、コンピュータ可読記憶媒体。
【国際調査報告】
2021534630.tif 000021
2021534630.tif 000022
2021534630.tif 000023
2021534630.tif 000024
2021534630.tif 000025